(57)【要約】  移動端末装置（１１０）は、基地局（１２１）からの無線信号を複数の受信器により受信し、受信した各信号における受信レベルの差分値が所定値以上であるか否かに基づいて基地局（１２１）の故障を検出する。また、移動端末装置（１１０）は、故障が検出された基地局（１２１）に関するログを記憶する。また、移動端末装置（１１０）は、自装置による無線品質の測定対象のセルを示すセル管理テーブルを無線網からの制御信号に基づき更新する際に、セル管理テーブルからの削除対象となったセルに対応する基地局（１２１）に関するログを送信する。
2016194152.tif 000002
【特許請求の範囲】
【請求項１】
基地局からの無線信号を受信する複数の受信器と、
前記複数の受信器によって受信された各信号における受信レベルの差分値が所定値以上であるか否かに基づいて前記基地局の故障を検出する検出部と、
前記故障が検出された基地局に関するログを記憶する記憶部と、
自装置による無線品質の測定対象のセルを示すセル管理テーブルを無線網からの制御信号に基づき更新する際に、前記セル管理テーブルからの削除対象となったセルに対応する前記故障が検出された基地局に関するログを送信する送信部と、
を備えることを特徴とする移動端末装置。
【請求項２】
前記検出部は、前記受信レベルの差分値が前記所定値以上であるか否かと、前記基地局へのセルリセレクションの成功回数または失敗回数と、に基づいて前記基地局の故障を検出することを特徴とする請求項１に記載の移動端末装置。
【請求項３】
前記送信部は、前記故障が検出されてから前記ログを送信するまでの期間における、前記故障が検出された基地局の無線品質の測定結果を含む前記ログを送信することを特徴とする請求項１または２に記載の移動端末装置。
【請求項４】
前記送信部は、前記故障が検出されてから前記ログを送信するまでの期間における、前記故障が検出された基地局の無線品質の周期的な測定結果のうちの最新の測定結果を含む前記ログを送信することを特徴とする請求項３に記載の移動端末装置。
【請求項５】
前記送信部は、前記故障が検出されてから前記ログを送信するまでの期間における、前記故障が検出された基地局の無線品質の周期的な測定結果の平均値を含む前記ログを送信することを特徴とする請求項３に記載の移動端末装置。
【請求項６】
前記送信部は、前記故障が検出されてから前記ログを送信するまでの期間における、前記故障が検出された基地局の無線品質の周期的な測定結果の履歴を示す情報を含む前記ログを送信することを特徴とする請求項３に記載の移動端末装置。
【発明の詳細な説明】
【技術分野】
【０００１】
本発明は、移動端末装置に関する。
【背景技術】
【０００２】
従来、複数のセルを用いて無線通信を行うセルラ通信において、移動端末が、１つのセルから他のセルに移動するときに、セルを切り替えて通信を継続するセルリセレクションが知られている。また、基地局や移動端末などの無線通信装置における障害の検出を行う技術が知られている（たとえば、下記特許文献１〜３参照。）。
【先行技術文献】
【特許文献】
【０００３】
【特許文献１】特表平９−５０４９１６号公報
【特許文献２】特開２００３−２９８５０１号公報
【特許文献３】特開２００３−５１８８２号公報
【発明の概要】
【発明が解決しようとする課題】
【０００４】
しかしながら、上述した従来技術では、たとえば移動端末を用いて基地局の故障を検出する場合に、移動端末において基地局の故障を検出する度に移動端末に蓄積されたログを保守センタ等へ送信すると、移動端末の消費電力が大きくなるという問題がある。【０００５】
また、移動端末において基地局の故障を検出してすぐに移動端末に蓄積されたログを保守センタ等へ送信すると、故障した基地局に関して移動端末に蓄積されたログが少なく、送信対象のログを充実させることが困難という問題がある。【０００６】
１つの側面では、本発明は、ログの送信による移動端末の消費電力の削減を図りつつ、送信対象のログを充実させることができる移動端末装置を提供することを目的とする。
【課題を解決するための手段】
【０００７】
上述した課題を解決し、目的を達成するため、本発明の一側面によれば、基地局からの無線信号を受信する複数の受信器と、前記複数の受信器によって受信された各信号における受信レベルの差分値が所定値以上であるか否かに基づいて前記基地局の故障を検出する検出部と、前記故障が検出された基地局に関するログを記憶する記憶部と、自装置による無線品質の測定対象のセルを示すセル管理テーブルを無線網からの制御信号に基づき更新する際に、前記セル管理テーブルからの削除対象となったセルに対応する前記故障が検出された基地局に関するログを送信する送信部と、を備える移動端末装置が提案される。
【発明の効果】
【０００８】
本発明の一側面によれば、ログの送信による移動端末の消費電力の削減を図りつつ、送信対象のログを充実させることができるという効果を奏する。
【図面の簡単な説明】
【０００９】
【図１】図１は、実施の形態にかかる通信システムの一例を示す図である。
【図２】図２は、実施の形態にかかる移動端末装置の一例を示す図である。
【図３】図３は、実施の形態にかかる移動端末装置に適用可能な各レイヤの一例を示す図である。
【図４】図４は、実施の形態にかかる移動端末装置が記憶するセル管理テーブルの一例を示す図である。
【図５】図５は、実施の形態にかかる通信システムにおけるアンテナ故障セル検出起動の処理の一例を示すシーケンス図である。
【図６】図６は、実施の形態にかかる通信システムにおけるアンテナ故障セル検出起動の処理の他の例を示すシーケンス図である。
【図７】図７は、実施の形態にかかる通信システムにおけるアンテナ故障セル検出停止の処理の一例を示すシーケンス図である。
【図８】図８は、実施の形態にかかる通信システムにおけるアンテナ故障セル検出停止の処理の他の例を示すシーケンス図である。
【図９】図９は、実施の形態にかかる移動端末装置のＬ１ベースバンド部による処理の一例を示すフローチャートである。
【図１０】図１０は、実施の形態にかかる移動端末装置のＣＣＰＵによる第１の処理の一例を示すフローチャート（その１）である。
【図１１】図１１は、実施の形態にかかる移動端末装置のＣＣＰＵによる第１の処理の一例を示すフローチャート（その２）である。
【図１２】図１２は、実施の形態にかかる移動端末装置のＣＣＰＵによる第２の処理の一例を示すフローチャートである。
【図１３】図１３は、実施の形態にかかる移動端末装置のユーザコアＡＣＰＵ部による処理の一例を示すフローチャートである。
【図１４】図１４は、実施の形態にかかる移動端末装置が送信する異常検出ログの一例を示す図である。
【発明を実施するための形態】
【００１０】
以下に図面を参照して、本発明にかかる移動端末装置の実施の形態を詳細に説明する。
【００１１】
（実施の形態）
（実施の形態にかかる通信システム）
図１は、実施の形態にかかる通信システムの一例を示す図である。図１に示すように、実施の形態にかかる通信システム１００は、移動端末装置１１０と、基地局１２１，１２２と、ネットワーク１３０と、保守センタ１４０と、を含む。移動端末装置１１０は、基地局１２１，１２２との間で無線通信が可能な無線通信装置である。
【００１２】
保守センタ１４０は、通信システム１００の保守を行う保守局である。保守センタ１４０は、ネットワーク１３０を介して基地局１２１，１２２と接続されている。ネットワーク１３０は、たとえばＥＰＣ（Ｅｖｏｌｖｅｄ  Ｐａｃｋｅｔ  Ｃｏｒｅ）などのコアネットワークである。また、ネットワーク１３０は、インターネットなどの広域ネットワークを含んでいてもよい。
【００１３】
基地局１２１は、それぞれ異なる周波数のバンドＡ１〜Ａ３の各セルを形成している。基地局１２２は、それぞれ異なる周波数のバンドＢ１〜Ｂ３の各セルを形成している。また、基地局１２１，１２２のそれぞれは、移動端末装置１１０へ無線信号を送信する際に、同一のデータを複数の送信アンテナによって送信する送信ダイバーシチを行う。
【００１４】
移動端末装置１１０は、データ通信に使用するセル（サービングセル）を移動にともなって切り替える異周波数セルリセレクションを行う。たとえば、移動端末装置１１０は、サービングセルの無線品質が他の周辺のセル（ターゲットセル）の無線品質より低くなり、かつ、ターゲットセルにおける送信アンテナ間の無線品質の差分値が小さい場合に異周波数セルリセレクションを行う。異周波数セルリセレクションのために測定される無線品質には、たとえばＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）やＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）などが用いられる。
【００１５】
たとえば、移動端末装置１１０は、位置１０１において、基地局１２２のバンドＢ１をサービングセルとしてデータ通信を行っているとする。この状態から、移動端末装置１１０が基地局１２１のバンドＡ２をターゲットセルとしてハンドオーバする異周波数セルリセレクションを行う場合について説明する。異周波数セルリセレクションは、たとえば移動端末装置１１０におけるＲＲＣレイヤの処理によって行われる。
【００１６】
移動端末装置１１０は、位置１０１から位置１０２へ移動し、ＲＲＣレイヤの処理によって測定対象のセルに基地局１２１のバンドＡ２を追加したとする（Ａｄｄ  Ａ２）。これにより、移動端末装置１１０は、基地局１２２のバンドＢ１および基地局１２１のバンドＡ２の無線品質の測定を行う状態となる。移動端末装置１１０が無線品質を測定するセルおよび無線品質の測定結果は、移動端末装置１１０のセル管理テーブルに記憶される。
【００１７】
位置１０２において、移動端末装置１１０による測定の結果、サービングセル（バンドＢ１）の無線品質がターゲットセル（バンドＡ２）の無線品質より低くなったとする。また、送信ダイバーシチ状態である基地局１２１のバンドＡ２における送信アンテナ間のＲＳＲＰの差が閾値未満であったとする。この場合は、移動端末装置１１０は、サービングセルを基地局１２２のバンドＢ１から基地局１２１のバンドＡ２に切り替える異周波数セルリセレクションを行う。
【００１８】
つぎに、移動端末装置１１０は、位置１０２から位置１０３へ移動し、ＲＲＣレイヤの処理によって基地局１２２のバンドＢ１を測定対象のセルから削除したとする（Ｄｒｏｐ  Ｂ１）。これにより、移動端末装置１１０は、基地局１２１のバンドＡ２の無線品質の測定を行う状態となる。
【００１９】
図１に示した例において、基地局１２１の送信アンテナが故障している場合は、基地局１２１における送信アンテナ間のＲＳＲＰの差分値が大きくなる。この場合は、移動端末装置１１０のサービングセルを基地局１２１のバンドＡ２に切り替える異周波数セルリセレクションを行うことができなくなる。
【００２０】
この場合に、移動端末装置１１０は、基地局１２１における送信アンテナ間のＲＳＲＰの差分値に基づいて基地局１２１のバンドＡ２の送信アンテナの故障を検出する。そして、移動端末装置１１０は、送信アンテナの故障を検出したバンドＡ２が、ＲＲＣレイヤの処理によって測定対象セルからの削除対象となってから、基地局１２２のバンドＢ１に関するログを保守センタ１４０へ送信する。
【００２１】
図１に示す例では、移動端末装置１１０のサービングセルは基地局１２２のバンドＢ１であるため、移動端末装置１１０は、たとえば、バンドＢ１およびネットワーク１３０を介してログを保守センタ１４０へ送信する。
【００２２】
このように、移動端末装置１１０によれば、移動端末装置１１０の複数の受信器によって受信された各信号における受信レベルの差分値が所定値以上であるか否かに基づいて基地局１２１の故障を検出することができる。これにより、基地局１２１の送信アンテナの磨耗等による故障を検出することができる。なお、この基地局１２１の故障があったとしても、少なくとも移動端末装置１１０はサービングセル（基地局１２２のバンドＢ１）には無線アクセスができているものとする。
【００２３】
また、移動端末装置１１０は、無線網からの制御信号（たとえばセル測定要求）を受けて移動端末装置１１０が保持するセル管理テーブルを更新する際に、削除対象となったセルに対応する、故障と判断した基地局１２１に関するログを送信する。これにより、ログの送信までの間に繰り返し実行されるセル測定の結果を蓄積することができるため、送信するログの内容を充実させることが可能になる。また、ログの送信機会を限定することで、ログの送信による移動端末装置１１０の消費電力を抑えることができる。
【００２４】
（実施の形態にかかる移動端末装置）
図２は、実施の形態にかかる移動端末装置の一例を示す図である。図２に示すように、実施の形態にかかる移動端末装置１１０は、たとえば、アンテナ２０１，２０２と、ＲＦＩＣ２２０と、デジタル高周波物理処理回路２３０と、を備える。また、移動端末装置１１０は、無線コア２４０と、ユーザコアＡＣＰＵ部２８０と、ＳＤＲＡＭ２９１と、を備える。また、移動端末装置１１０は、ユーザインタフェース２９２を備えていてもよい。
【００２５】
アンテナ２０１，２０２は、基地局１２１，１２２との間で無線通信を行うための複数の受信器である。アンテナ２０１，２０２は、アンテナスイッチ２１０（ＡＮＴ  ＳＷ）を介してＲＦＩＣ２２０と接続されている。
【００２６】
ＲＦＩＣ２２０（Ｒａｄｉｏ  Ｆｒｅｑｕｅｎｃｙ  Ｉｎｔｅｇｒａｔｅｄ  Ｃｉｒｃｕｉｔ：高周波回路）は、移動端末装置１１０がアンテナ２０１，２０２を用いて無線信号を送受信するための高周波処理を行う回路である。ＲＦＩＣ２２０は、たとえば、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＬＴＥ（Ｌｏｎｇ  Ｔｅｒｍ  Ｅｖｏｌｕｔｉｏｎ）の各システムに対応したＲＦＩＣである。なお、ＧＳＭは登録商標である。ＲＦＩＣ２２０は、デジタル高周波物理処理回路２３０と接続されている。
【００２７】
デジタル高周波物理処理回路２３０（ＤｉｇＲＦ  ＰＨＹ）は、無線コア２４０のＬ１ベースバンド部２５０との間のインタフェース（Ｄｉｇ−ＲＦ  Ｉ／Ｆ）を備え、ＲＦＩＣ２２０との通信制御を行うモジュールである。
【００２８】
無線コア２４０は、Ｌ１ベースバンド部２５０と、ＡＰＢ２６０と、ＣＣＰＵ２７０と、を備える。Ｌ１ベースバンド部２５０は、物理層（Ｌ１）におけるベースバンド処理を行う。たとえば、Ｌ１ベースバンド部２５０は、移動端末装置１１０の周辺の各セルの受信レベル等の測定を行う。
【００２９】
Ｌ１ベースバンド部２５０は、たとえば、ＲＦインタフェース２５１（ＲＦ−ＩＦ）と、ＧＳＭハードウェア２５２（ＧＳＭ−ＨＷ）と、を備える。また、Ｌ１ベースバンド部２５０は、ＬＴＥハードウェア２５３（ＬＴＥ−ＨＷ）と、ＷＣＤＭＡハードウェア２５４（ＷＣＤＭＡ−ＨＷ）と、無線制御ファームウェア群２５５（無線制御ＦＷ）と、を備える。
【００３０】
ＲＦインタフェース２５１は、Ｌ１ベースバンド部２５０とデジタル高周波物理処理回路２３０との間の通信インタフェースである。ＧＳＭハードウェア２５２は、ＧＳＭのベースバンド処理を行うハードウェアである。ＬＴＥハードウェア２５３は、ＬＴＥのベースバンド処理を行うハードウェアである。ＷＣＤＭＡハードウェア２５４は、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）のベースバンド処理を行う。なお、ＷＣＤＭＡは登録商標である。
【００３１】
無線制御ファームウェア群２５５は、移動端末装置１１０における無線通信を制御するファームウェア群である。無線制御ファームウェア群２５５は、たとえばＬ１ベースバンド部２５０に含まれるプロセッサにより実現される。
【００３２】
Ｌ１ベースバンド部２５０は、ダウンリンクの処理として、たとえば、デジタル高周波物理処理回路２３０からＲＦインタフェース２５１を介して入力されたＩＱデータに基づくサーチ処理を行い、無線フレームタイミングの検出や補正を行う。また、Ｌ１ベースバンド部２５０は、ＬＴＥハードウェア２５３により物理チャネルのサブキャリアデマッピング処理を行い、ＷＣＤＭＡハードウェア２５４により逆拡散処理、復調処理、復号処理を行う。また、Ｌ１ベースバンド部２５０は、ＣＣＰＵ２７０のＣＰＰ２７２へ無線制御情報（ダウンリンク共有チャネルのデータ）およびユーザパケットデータを出力する。
【００３３】
また、Ｌ１ベースバンド部２５０は、アップリンクの処理として、たとえば、ＣＣＰＵ２７０から入力されたアップリンクのデータにＣＲＣ（Ｃｙｃｌｉｃ  Ｒｅｄｕｎｄａｎｃｙ  Ｃｈｅｃｋ：巡回冗長検査）を付加することにより符号化処理を施す。また、Ｌ１ベースバンド部２５０は、アップリンク共有チャネルおよび該チャネルに付随する制御チャネルを変調する。また、Ｌ１ベースバンド部２５０は、ＬＴＥハードウェア２５３によりＤＦＴ（Ｄｉｓｃｒｅｔｅ  Ｆｏｕｒｉｅｒ  Ｔｒａｎｓｆｏｒｍ：離散フーリエ変換）やＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）を行う。また、Ｌ１ベースバンド部２５０は、ＷＣＤＭＡハードウェア２５４により拡散処理を行う。また、Ｌ１ベースバンド部２５０は、無線フレームタイミングにおいて、逆拡散処理を行った信号を、ＲＦインタフェース２５１を介してデジタル高周波物理処理回路２３０へ出力する。
【００３４】
ＡＰＢ２６０（Ａｄｖａｎｃｅｄ  Ｐｅｒｉｐｈｅｒａｌ  Ｂｕｓ）は、Ｌ１ベースバンド部２５０とＣＣＰＵ２７０とを接続するバスである。ＡＰＢ２６０とＬ１ベースバンド部２５０との間はＡＰＢバスインタフェース（ＡＰＢバスＩ／Ｆ）を介して接続されている。
【００３５】
ＣＣＰＵ２７０（Ｃｏｍｕｎｉｃａｔｉｏｎ  Ｃｅｎｔｒａｌ  Ｐｒｏｃｅｓｓｉｎｇ  Ｕｎｉｔ）は、移動端末装置１１０による無線通信を制御するための無線ソフトウェアを実行するプロセッサである。たとえば、ＣＣＰＵ２７０は、ＡＸＩ２７１と、ＣＰＰ２７２と、ＵＰＰ２７３と、ＤＭＡＣ２７４と、を備える。
【００３６】
ＡＸＩ２７１（Ａｄｖａｎｃｅｄ  ｅＸｔｅｎｓｉｂｌｅ  Ｉｎｔｅｒｆａｃｅ）は、ＣＣＰＵ２７０とＡＰＢ２６０との間、およびＣＣＰＵ２７０とＬ１ベースバンド部２５０との間のインタフェース（ＡＸＩバスＩ／Ｆ）である。
【００３７】
ＣＰＰ２７２は、主にレイヤ３のＲＲＣ（Ｒａｄｉｏ  Ｒｅｓｏｕｒｃｅ  Ｃｏｎｔｒｏｌ：無線リソース制御）におけるパケット交換方式（ＰＳ：Ｐａｃｋｅｄ  Ｓｗｉｔｃｈｅｄ）の無線制御を決定する処理を行う。また、ＣＰＰ２７２は、ハンドオーバ、同周波数／異周波数受信レベルの測定を行う。ＵＰＰ２７３は、ユーザコアにユーザ情報（パケットデータ）を送信する処理や、ユーザコアＡＣＰＵ部２８０からユーザ要求指示の情報を受信する処理などを行うコアである。
【００３８】
ＤＭＡＣ２７４（Ｄｉｒｅｃｔ  Ｍｅｍｏｒｙ  Ａｃｃｅｓｓ  Ｃｏｎｔｒｏｌｌｅｒ）は、ＳＤＲＡＭ２９１に対するデータの書き込みやＳＤＲＡＭ２９１からのデータの読み出しを行う。また、ＤＭＡＣ２７４は、ＣＣＰＵ２７０からＬ１ベースバンド部２５０に対して無線制御指示データを転送するＤＭＡ処理を行う。ＳＤＲＡＭ２９１（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）は、たとえば無線コア２４０のワークスペースとして使用されるメモリである。
【００３９】
ユーザコアＡＣＰＵ部２８０は、移動端末装置１１０を制御するＯＳ（Ｏｐｅｒａｔｉｎｇ  Ｓｙｓｔｅｍ：オペレーティングシステム）を実行するプロセッサである。たとえば、ユーザコアＡＣＰＵ部２８０は、ユーザによる操作に基づく処理（たとえばウェブ閲覧やアプリケーションの実行）を行う。
【００４０】
ユーザインタフェース２９２は、たとえば、ユーザからの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース２９２は、たとえばユーザコアＡＣＰＵ部２８０によって制御される。
【００４１】
移動端末装置１１０において、無線信号を受信する複数の受信器は、たとえばアンテナ２０１，２０２により実現することができる。また、複数の受信器によって受信された各信号における受信レベルの差分値が所定値以上であるか否かに基づいて基地局の故障を検出する検出部は、たとえばＣＣＰＵ２７０により実現することができる。また、故障が検出された基地局に関するログを記憶する記憶部は、たとえばＳＤＲＡＭ２９１により実現することができる。また、故障が検出された基地局に関するログを送信する送信部は、たとえばアンテナ２０１，２０２、ＲＦＩＣ２２０、デジタル高周波物理処理回路２３０およびＬ１ベースバンド部２５０により実現することができる。
【００４２】
（実施の形態にかかる移動端末装置に適用可能な各レイヤ）
図３は、実施の形態にかかる移動端末装置に適用可能な各レイヤの一例を示す図である。実施の形態にかかる移動端末装置１１０による通信に関する処理には、たとえば図３に示す各レイヤを適用することができる。図３に示すＲＲＣレイヤ３０１は、レイヤ３（Ｌ３）に含まれるＲＲＣのレイヤである。図３に示すＰＤＣＰレイヤ３０２は、レイヤ２（Ｌ２）に含まれるＰＤＣＰ（Ｐａｃｋｅｔ  Ｄａｔａ  Ｃｏｎｖｅｒｇｅｎｃｅ  Ｐｒｏｔｏｃｏｌ）のレイヤである。
【００４３】
図３に示すＲＬＣレイヤ３０３は、レイヤ２（Ｌ２）に含まれるＲＬＣ（Ｒａｄｉｏ  Ｌｉｎｋ  Ｃｏｎｔｒｏｌ：無線リンク制御）のレイヤである。図３に示すＭＡＣレイヤ３０４は、レイヤ２（Ｌ２）に含まれるＭＡＣ（Ｍｅｄｉａ  Ａｃｃｅｓｓ  Ｃｏｎｔｒｏｌ：メディアアクセス制御）のレイヤである。
【００４４】
図３に示す無線ソフトウェア３０５は、レイヤ１（Ｌ１）に含まれ、ＣＣＰＵ２７０によって実行される無線ソフトウェアである。無線ファームウェア３０６は、たとえばＬ１ベースバンド部２５０の無線制御ファームウェア群２５５に対応する各ファームウェアである。
【００４５】
図３に示すように、移動端末装置１１０においては、ＲＲＣレイヤ３０１と無線ソフトウェア３０５との間で、レイヤ２の各レイヤを介さずに制御信号やメジャメントの送受信を行うことにより、アンテナ故障セル検出の処理が行われる。制御信号には、たとえば、アンテナ故障セル検出起動指示や、サービングセルやターゲットセルの測定結果を要求する測定結果要求などが含まれる。
【００４６】
（実施の形態にかかる移動端末装置が記憶するセル管理テーブル）
図４は、実施の形態にかかる移動端末装置が記憶するセル管理テーブルの一例を示す図である。図４に示すセル管理テーブル４００は、移動端末装置１１０がセルリセレクション（ハンドオーバ）を行うための情報であり、移動端末装置１１０による測定対象のセルのそれぞれについての測定結果を含む。セル管理テーブル４００は、たとえば図２に示したＳＤＲＡＭ２９１などの移動端末装置１１０のメモリに記憶される。
【００４７】
セル管理テーブル４００は、「サービングセル」と、「ターゲットセル」と、「故障検出」と、を項目として有する。「サービングセル」は、移動端末装置１１０が現在データ通信に使用している、セルリセレクション前のセル（たとえば基地局１２２のバンドＢ１）に関する情報である。「ターゲットセル」は、移動端末装置１１０のセルリセレクション先の候補のセル（たとえば基地局１２１のバンドＡ２）に関する情報である。
【００４８】
「サービングセル」および「ターゲットセル」のそれぞれは、セルＩＤと、ＲＳＲＰ［ｄＢｍ］と、ＲＳＲＱ［ｄＢ］と、を含む。「サービングセル」のセルＩＤは、サービングセルの識別子である。「ターゲットセル」のセルＩＤは、ターゲットセルの識別子である。サービングセルおよびターゲットセルの各識別子は、一例としてはＰＣＩ（Ｐｈｙｓｉｃａｌ  Ｃｅｌｌ  Ｉｄｅｎｔｉｔｙ：物理セルＩＤ）である。ＰＣＩは、たとえば０〜５０３の値をとり得る。
【００４９】
「サービングセル」のＲＳＲＰは、サービングセルの送信アンテナＴｘ＃０，Ｔｘ＃１についての各ＲＳＲＰの測定結果を示す。「サービングセル」のＲＳＲＰは、一例としては−１４１〜−１４４の値をとり得る。「サービングセル」のＲＳＲＱは、サービングセルの送信アンテナＴｘ＃０，Ｔｘ＃１についてのアンテナ合成後のＲＳＲＱの測定結果を示す。「サービングセル」のＲＳＲＱは、一例としては−２０〜−３の値をとり得る。
【００５０】
「ターゲットセル」のＲＳＲＰは、ターゲットセルの送信アンテナＴｘ＃０，Ｔｘ＃１についての各ＲＳＲＰの測定結果を示す。「ターゲットセル」のＲＳＲＰは、一例としては−１４１〜−１４４の値をとり得る。「ターゲットセル」のＲＳＲＱは、ターゲットセルの送信アンテナＴｘ＃０，Ｔｘ＃１についてのアンテナ合成後のＲＳＲＱの測定結果を示す。「ターゲットセル」のＲＳＲＱは、一例としては−２０〜−３の値をとり得る。
【００５１】
「故障検出」は、差分値と、成功回数と、リセレクション状態と、を含む。差分値（Ｔｘ０−Ｔｘ１）は、ターゲットセルの送信アンテナＴｘ＃０，Ｔｘ＃１についての各ＲＳＲＰの差分値（小数点以下切り捨て）を示す。成功回数は、ターゲットセルへのリセレクションの成功回数を示す。たとえば、成功回数は、移動端末装置１１０がターゲットセルへのリセレクションに成功するごとに更新される。
【００５２】
リセレクション状態は、ターゲットセルについてのリセレクションの状態を示し、差分値および成功回数に応じて判定される。たとえば、リセレクション状態は、送信アンテナＴｘ＃０，Ｔｘ＃１についての各ＲＳＲＰの差分値が閾値未満であるか、または成功回数が０でない場合は“正常”に設定される。また、リセレクション状態は、送信アンテナＴｘ＃０，Ｔｘ＃１についての各ＲＳＲＰの差分値が閾値以上であり、かつ成功回数が０である場合に“異常”に設定される。閾値は、一例としては１０［ｄＢ］とすることができる。図４に示す例では、ＰＣＩが２０４のターゲットセル（たとえば基地局１２１のバンドＡ２）について、差分値が閾値以上の１４であり、成功回数が０であるため、リセレクション状態は“異常”に設定されている。
【００５３】
移動端末装置１１０は、サービングセルやターゲットセルについての測定を行う度に、セル管理テーブル４００の「サービングセル」や「ターゲットセル」のＲＳＲＰおよびＲＳＲＱを更新する。また、このとき、移動端末装置１１０は、「サービングセル」や「ターゲットセル」の更新結果に基づいて「故障検出」を更新してもよい。
【００５４】
また、図３に示したＲＲＣレイヤ３０１は、セル管理テーブル４００を参照して移動端末装置１１０のセルリセレクションを行うか否かを判断する。そして、ＲＲＣレイヤ３０１は、移動端末装置１１０のセルリセレクションを行う前に、ＣＣＰＵ２７０に対してセル測定要求を行う。セル測定要求には、測定対象のセルを示す情報が含まれる。
【００５５】
移動端末装置１１０は、ＲＲＣレイヤ３０１からのセル測定要求があると、セル測定要求によって指定された測定対象のセルによってセル管理テーブル４００を更新する。この際に、セル測定要求によって指定された測定対象のうちの、更新前のセル管理テーブル４００に含まれないセルは、セル管理テーブル４００への追加対象となる。また、更新前のセル管理テーブル４００に含まれる各セルのうちの、セル測定要求によって指定された測定対象に含まれないセルは、セル管理テーブル４００からの削除対象となる。
【００５６】
（実施の形態にかかる通信システムにおけるアンテナ故障セル検出起動の処理）
図５は、実施の形態にかかる通信システムにおけるアンテナ故障セル検出起動の処理の一例を示すシーケンス図である。実施の形態にかかる通信システム１００においては、アンテナ故障セル検出起動の処理として、たとえば図５に示す各ステップが実行される。図５においては、アンテナ故障セル検出起動の処理が、移動端末装置１１０のユーザからのアンテナ故障セル検出起動指示によって開始される場合について説明する。
【００５７】
まず、ユーザコアＡＣＰＵ部２８０が、アンテナ故障セル検出処理の起動を指示するアンテナ故障セル検出起動指示を、ユーザインタフェース２９２（図２参照）を介してユーザから受け付ける（ステップＳ５０１）。これにより、ユーザコアＡＣＰＵ部２８０におけるアンテナ故障セル検出の開始モードがオンになる。このとき、ユーザインタフェース２９２によって故障検出画面が表示されるようにしてもよい。
【００５８】
つぎに、ユーザコアＡＣＰＵ部２８０が、アンテナ故障セル検出起動指示をＣＣＰＵ２７０へ出力する（ステップＳ５０２）。これにより、ＣＣＰＵ２７０におけるアンテナ故障セル検出の開始モードがオンになる。
【００５９】
つぎに、ＣＣＰＵ２７０が、アンテナ故障セル検出起動指示をＬ１ベースバンド部２５０へ出力する（ステップＳ５０３）。これにより、Ｌ１ベースバンド部２５０におけるアンテナ故障セル検出の開始モードがオンになり、Ｌ１ベースバンド部２５０は、移動端末装置１１０のサービングセルおよびターゲットセルについてのＲＳＲＰおよびＲＳＲＱの測定を開始する。
【００６０】
また、ＣＣＰＵ２７０が、サービングセルおよびターゲットセルについての測定結果を要求する測定結果要求をＬ１ベースバンド部２５０へ出力する（ステップＳ５０４）。ステップＳ５０４による測定結果要求の出力は、たとえば、ユーザコアＡＣＰＵ部２８０からＣＣＰＵ２７０へアンテナ故障セル検出停止指示が出力されるまで繰り返し行われる。
【００６１】
つぎに、Ｌ１ベースバンド部２５０が、ステップＳ５０３によって開始した移動端末装置１１０のサービングセルおよびターゲットセルについてのＲＳＲＰおよびＲＳＲＱの測定結果をＣＣＰＵ２７０へ出力する（ステップＳ５０５）。ステップＳ５０５による測定結果の出力は、たとえば、ＣＣＰＵ２７０からＬ１ベースバンド部２５０へアンテナ故障セル検出停止指示が出力されるまで繰り返し行われる。
【００６２】
ＣＣＰＵ２７０は、ステップＳ５０５により測定結果が出力されるごとに、測定結果をセル管理テーブルに反映させる。たとえば、ＣＣＰＵ２７０は、図４に示したセル管理テーブル４００における「サービングセル」および「ターゲットセル」のうちの出力された測定結果に対応するセルの各送信アンテナのＲＳＲＰおよびＲＳＲＱを、出力された測定結果に基づいて更新する。また、ＣＣＰＵ２７０は、測定結果に対応するセルが「ターゲットセル」であった場合は、更新した各ＲＳＲＰの差分値を算出し、算出した差分値によって「故障検出」の差分値を更新する。
【００６３】
つぎに、ＣＣＰＵ２７０が、ステップＳ５０５により出力された測定結果に基づく、ユーザへの表示対象の測定結果をユーザコアＡＣＰＵ部２８０へ出力する（ステップＳ５０６）。ユーザへの表示対象の測定結果は、一例としては、図４に示したセル管理テーブル４００とすることができる。または、ユーザへの表示対象の測定結果は、セル管理テーブル４００から所定の項目を抽出した情報であってもよいし、セル管理テーブル４００に所定の情報を付加した情報であってもよい。ステップＳ５０６による測定結果の出力は、たとえば、ステップＳ５０５によりＬ１ベースバンド部２５０からＣＣＰＵ２７０へ測定結果が出力されるごとに行われる。
【００６４】
つぎに、ユーザコアＡＣＰＵ部２８０において、測定結果に基づくデータの表示を要求するデータ表示要求が発生したとする（ステップＳ５０７）。データ表示要求は、たとえばユーザインタフェース２９２に対するユーザ操作によって発生する。または、データ表示要求は周期的に発生するイベントであってもよい。この場合に、データ表示要求の発生周期は、一例としては５００［ｍｓ］とすることができる。
【００６５】
つぎに、ユーザコアＡＣＰＵ部２８０が、ステップＳ５０６によって出力された測定結果に基づくデータをユーザインタフェース２９２によりユーザに表示する（ステップＳ５０８）。なお、ステップＳ５０８による測定結果に基づくデータの表示を行わないようにしてもよい。この場合は、たとえばステップＳ５０６の処理を省いてもよい。
【００６６】
つぎに、ＣＣＰＵ２７０において、セル測定要求が発生したとする（ステップＳ５０９）。セル測定要求は、たとえば、無線網からの制御信号に応じてＲＲＣレイヤ３０１により行われる。無線網は、たとえば、移動端末装置１１０のサービングセルまたはターゲットセルが接続された無線網である。
【００６７】
つぎに、ＣＣＰＵ２７０が、ステップＳ５０５によってＬ１ベースバンド部２５０から取得した測定結果に基づいてセル管理テーブルを更新する（ステップＳ５１０）。ステップＳ５１０において、たとえば、ＣＣＰＵ２７０は、図４に示したセル管理テーブル４００に含まれる各セルを、セル測定要求の対象セルと一致するように更新する。この際、セル管理テーブル４００に含まれていた各セルのうちのセル測定要求の対象セルに含まれていないセルはセル管理テーブル４００からの削除対象となる。この場合に、ＣＣＰＵ２７０は、削除対象となったセルについての情報（たとえば図４に示した差分値、成功回数およびリセレクション状態）を取得しておく。
【００６８】
つぎに、ＣＣＰＵ２７０が、ステップＳ５１０のセル管理テーブルの更新において削除対象となったターゲットセルをアンテナ故障セルとして検出したとする（ステップＳ５１１）。たとえば、ＣＣＰＵ２７０は、削除対象となったターゲットセルについて取得しておいたリセレクション状態が異常であった場合に、削除対象となったターゲットセルをアンテナ故障セルとして検出する。この際に、ＣＣＰＵ２７０は、削除対象となったターゲットセルについて取得しておいた差分値および成功回数に基づいて、差分値が閾値以上であり、かつ成功回数が０であることを確認してもよい。
【００６９】
つぎに、ＣＣＰＵ２７０が、ステップＳ５１１によって検出したアンテナ故障セルを示すアンテナ故障セル検出情報をユーザコアＡＣＰＵ部２８０へ出力する（ステップＳ５１２）。アンテナ故障セル検出情報には、アンテナ故障セル（ターゲットセル）の測定結果やセルリセレクションの成功回数等を示す情報が含まれていてもよい。
【００７０】
つぎに、ユーザコアＡＣＰＵ部２８０が、ステップＳ５１２によって出力されたアンテナ故障セル検出情報をユーザインタフェース２９２によりユーザに表示する（ステップＳ５１３）。これにより、移動端末装置１１０のユーザ（たとえば保守者）は、アンテナ故障セル（ターゲットセル）に関する情報を得ることができる。なお、ステップＳ５１３によるアンテナ故障セル検出情報の表示を行わないようにしてもよい。この場合は、たとえばステップＳ５１２の処理を省いてもよい。また、ＣＣＰＵ２７０は、アンテナ故障セル検出情報を、移動端末装置１１０に装着されたＳＤ（Ｓｅｃｕｒｅ  Ｄｉｇｉｔａｌ）カードなどへ出力してもよい。
【００７１】
また、ＣＣＰＵ２７０が、ステップＳ５１１によって検出したアンテナ故障セル（ターゲットセル）を示す異常検出ログの送信を要求する異常検出ログ送信要求をＬ１ベースバンド部２５０へ出力する（ステップＳ５１４）。異常検出ログは、たとえばセル管理テーブルに基づいて作成される。また、異常検出ログには、アンテナ故障セル（ターゲットセル）の測定結果やセルリセレクションの成功回数等を示す情報が含まれていてもよい。
【００７２】
つぎに、Ｌ１ベースバンド部２５０が、ステップＳ５１４においてＣＣＰＵ２７０から出力された異常検出ログ送信要求に基づく異常検出ログを保守センタ１４０へ送信する（ステップＳ５１５）。たとえば、Ｌ１ベースバンド部２５０は、移動端末装置１１０のサービングセル（たとえば基地局１２２のバンドＢ１）を介して異常検出ログを保守センタ１４０へ送信する。また、Ｌ１ベースバンド部２５０が、ステップＳ５１４によって出力された異常検出ログ送信要求に対する異常検出ログ送信応答をＣＣＰＵ２７０へ出力する（ステップＳ５１６）。また、ＣＣＰＵ２７０は、異常検出ログを、移動端末装置１１０に装着されたＳＤカードなどへ出力してもよい。
【００７３】
図６は、実施の形態にかかる通信システムにおけるアンテナ故障セル検出起動の処理の他の例を示すシーケンス図である。実施の形態にかかる通信システム１００においては、アンテナ故障セル検出起動の処理として、たとえば図６に示す各ステップが実行されてもよい。図６においては、アンテナ故障セル検出起動の処理が、保守センタ１４０からのアンテナ故障セル検出起動指示によって開始される場合について説明する。
【００７４】
まず、保守センタ１４０が、移動端末装置１１０のサービングセル（たとえば基地局１２２のバンドＢ１）を介して、アンテナ故障セル検出処理の起動を指示するアンテナ故障セル検出起動指示を移動端末装置１１０へ送信する（ステップＳ６０１）。ステップＳ６０１によって送信されたアンテナ故障セル検出起動指示は、移動端末装置１１０のＬ１ベースバンド部２５０によって受信される。
【００７５】
つぎに、Ｌ１ベースバンド部２５０が、アンテナ故障セル検出起動指示をＣＣＰＵ２７０へ出力する（ステップＳ６０２）。つぎに、ＣＣＰＵ２７０が、アンテナ故障セル検出起動指示をユーザコアＡＣＰＵ部２８０へ出力する（ステップＳ６０３）。これにより、ユーザコアＡＣＰＵ部２８０におけるアンテナ故障セル検出の開始モードがオンになる。図６に示すステップＳ６０４〜Ｓ６１８は、図５に示したステップＳ５０２〜Ｓ５１６と同様である。
【００７６】
このように、アンテナ故障セル検出の処理は、保守センタ１４０から起動することも可能である。この場合は、アンテナ故障セル検出起動指示が、Ｌ１ベースバンド部２５０、ＣＣＰＵ２７０を経由してユーザコアＡＣＰＵ部２８０へ入力される。
【００７７】
（実施の形態にかかる通信システムにおけるアンテナ故障セル検出停止の処理）
図７は、実施の形態にかかる通信システムにおけるアンテナ故障セル検出停止の処理の一例を示すシーケンス図である。実施の形態にかかる通信システム１００においては、アンテナ故障セル検出停止の処理として、たとえば図７に示す各ステップが実行される。図７においては、アンテナ故障セル検出停止の処理が、移動端末装置１１０のユーザからのアンテナ故障セル検出停止指示によって開始される場合について説明する。
【００７８】
図７に示す例では、Ｌ１ベースバンド部２５０およびＣＣＰＵ２７０におけるアンテナ故障セル検出の開始モードがオンになっているとする。この場合は、Ｌ１ベースバンド部２５０からＣＣＰＵ２７０へ、移動端末装置１１０のサービングセルおよびターゲットセルについての測定結果が出力されている（ステップＳ７０１）。また、ＣＣＰＵ２７０からユーザコアＡＣＰＵ部２８０へ、ステップＳ７０１により出力された測定結果に基づくユーザへの表示対象の測定結果が出力されている（ステップＳ７０２）。ステップＳ７０１，Ｓ７０２は、図５に示したステップＳ５０５，Ｓ５０６に対応する。
【００７９】
この状態において、ユーザコアＡＣＰＵ部２８０が、アンテナ故障セル検出処理の停止を指示するアンテナ故障セル検出停止指示を、ユーザインタフェース２９２（図２参照）を介してユーザから受け付けたとする（ステップＳ７０３）。これにより、ユーザコアＡＣＰＵ部２８０におけるアンテナ故障セル検出の開始モードがオフになる。
【００８０】
つぎに、ユーザコアＡＣＰＵ部２８０が、アンテナ故障セル検出停止指示をＣＣＰＵ２７０へ出力する（ステップＳ７０４）。これにより、ＣＣＰＵ２７０におけるアンテナ故障セル検出の開始モードがオフになる。
【００８１】
つぎに、ＣＣＰＵ２７０が、アンテナ故障セル検出停止指示をＬ１ベースバンド部２５０へ出力する（ステップＳ７０５）。これにより、Ｌ１ベースバンド部２５０におけるアンテナ故障セル検出の開始モードがオフになり、Ｌ１ベースバンド部２５０は、移動端末装置１１０のサービングセルおよびターゲットセルについての測定を停止する。
【００８２】
つぎに、Ｌ１ベースバンド部２５０が、アンテナ故障セル検出停止指示に対するアンテナ故障セル検出停止応答をＣＣＰＵ２７０へ出力する（ステップＳ７０６）。つぎに、ＣＣＰＵ２７０が、アンテナ故障セル検出停止応答をユーザコアＡＣＰＵ部２８０へ出力する（ステップＳ７０７）。つぎに、ユーザコアＡＣＰＵ部２８０が、たとえば図５のステップＳ５０８，Ｓ５１３による各情報の表示を停止する（ステップＳ７０８）。
【００８３】
図８は、実施の形態にかかる通信システムにおけるアンテナ故障セル検出停止の処理の他の例を示すシーケンス図である。実施の形態にかかる通信システム１００においては、アンテナ故障セル検出停止の処理として、たとえば図８に示す各ステップが実行されてもよい。図８においては、アンテナ故障セル検出停止の処理が、保守センタ１４０からのアンテナ故障セル検出停止指示によって開始される場合について説明する。
【００８４】
図８に示す例では、図７に示した例と同様に、Ｌ１ベースバンド部２５０およびＣＣＰＵ２７０におけるアンテナ故障セル検出の開始モードがオンになっているとする。この場合は、Ｌ１ベースバンド部２５０からＣＣＰＵ２７０へ、移動端末装置１１０のサービングセルおよびターゲットセルについての測定結果が出力されている（ステップＳ８０１）。また、ＣＣＰＵ２７０からユーザコアＡＣＰＵ部２８０へ、ステップＳ８０１により出力された測定結果に基づくユーザへの表示対象の測定結果が出力されている（ステップＳ８０２）。
【００８５】
この状態において、保守センタ１４０が、移動端末装置１１０のサービングセルを介して、アンテナ故障セル検出処理の停止を指示するアンテナ故障セル検出停止指示を移動端末装置１１０へ送信したとする（ステップＳ８０３）。ステップＳ８０３によって送信されたアンテナ故障セル検出停止指示は、移動端末装置１１０のＬ１ベースバンド部２５０によって受信される。
【００８６】
つぎに、Ｌ１ベースバンド部２５０が、アンテナ故障セル検出停止指示をＣＣＰＵ２７０へ出力する（ステップＳ８０４）。つぎに、ＣＣＰＵ２７０が、アンテナ故障セル検出停止指示をユーザコアＡＣＰＵ部２８０へ出力する（ステップＳ８０５）。これにより、ユーザコアＡＣＰＵ部２８０におけるアンテナ故障セル検出の開始モードがオフになる。図８に示すステップＳ８０６〜Ｓ８１０は、図７に示したステップＳ７０４〜Ｓ７０８と同様である。
【００８７】
このように、アンテナ故障セル検出の処理は、保守センタ１４０から停止することも可能である。この場合は、アンテナ故障セル検出停止指示が、Ｌ１ベースバンド部２５０、ＣＣＰＵ２７０を経由してユーザコアＡＣＰＵ部２８０へ入力される。
【００８８】
（実施の形態にかかる移動端末装置のＬ１ベースバンド部による処理）
図９は、実施の形態にかかる移動端末装置のＬ１ベースバンド部による処理の一例を示すフローチャートである。実施の形態にかかる移動端末装置１１０のＬ１ベースバンド部２５０は、たとえば図９に示す各ステップを実行する。
【００８９】
まず、Ｌ１ベースバンド部２５０は、Ｌ１ベースバンド部２５０におけるアンテナ故障セル検出の開始モードがオンであるか否かを判断する（ステップＳ９０１）。Ｌ１ベースバンド部２５０におけるアンテナ故障セル検出の開始モードは、たとえば、ＣＣＰＵ２７０からＬ１ベースバンド部２５０へアンテナ故障セル検出起動指示が出力されるとオンになる。また、Ｌ１ベースバンド部２５０におけるアンテナ故障セル検出の開始モードは、たとえば、ＣＣＰＵ２７０からＬ１ベースバンド部２５０へアンテナ故障セル検出停止指示が出力されるとオフになる。
【００９０】
ステップＳ９０１において、開始モードがオンでない場合（ステップＳ９０１：Ｎｏ）は、Ｌ１ベースバンド部２５０は、一連の処理を終了する。開始モードがオンである場合（ステップＳ９０１：Ｙｅｓ）は、Ｌ１ベースバンド部２５０は、移動端末装置１１０のサービングセルおよびターゲットセルの測定を行う（ステップＳ９０２）。たとえば、Ｌ１ベースバンド部２５０は、移動端末装置１１０のサービングセルおよびターゲットセルについてのＲＳＲＰおよびＲＳＲＱの測定を行う。
【００９１】
ステップＳ９０２における測定対象には、たとえば移動端末装置１１０のターゲットセル（たとえば基地局１２１）の送信アンテナＴｘ＃０，Ｔｘ＃１についての各ＲＳＲＰが含まれる。送信アンテナＴｘ＃０，Ｔｘ＃１についての各ＲＳＲＰは、たとえば移動端末装置１１０の複数の受信器（たとえば図２に示したアンテナ２０１，２０２）によって受信された各信号に基づいて測定することができる。
【００９２】
つぎに、Ｌ１ベースバンド部２５０は、サービングセルおよびターゲットセルについての測定結果を要求する測定結果要求がＣＣＰＵ２７０からあったか否かを判断する（ステップＳ９０３）。測定結果要求がなかった場合（ステップＳ９０３：Ｎｏ）は、Ｌ１ベースバンド部２５０は、ステップＳ９０５へ移行する。測定結果要求があった場合（ステップＳ９０３：Ｙｅｓ）は、Ｌ１ベースバンド部２５０は、ステップＳ９０２による測定結果をＣＣＰＵ２７０へ出力する（ステップＳ９０４）。
【００９３】
つぎに、Ｌ１ベースバンド部２５０は、異常検出ログの送信を要求する異常検出ログ送信要求がＣＣＰＵ２７０からあったか否かを判断する（ステップＳ９０５）。異常検出ログ送信要求がなかった場合（ステップＳ９０５：Ｎｏ）は、Ｌ１ベースバンド部２５０は、一連の処理を終了する。
【００９４】
ステップＳ９０５において、異常検出ログ送信要求があった場合（ステップＳ９０５：Ｙｅｓ）は、Ｌ１ベースバンド部２５０は、異常検出ログ送信要求に基づき異常検出ログを保守センタ１４０へ送信する（ステップＳ９０６）。たとえば、Ｌ１ベースバンド部２５０は、移動端末装置１１０のサービングセル（たとえば基地局１２２のバンドＢ１）を介して異常検出ログを保守センタ１４０へ送信する。つぎに、Ｌ１ベースバンド部２５０は、異常検出ログ送信要求に対する異常検出ログ送信応答をＣＣＰＵ２７０へ出力し（ステップＳ９０７）、一連の処理を終了する。
【００９５】
（実施の形態にかかる移動端末装置のＣＣＰＵによる処理）
図１０および図１１は、実施の形態にかかる移動端末装置のＣＣＰＵによる第１の処理の一例を示すフローチャートである。ＣＣＰＵ２７０は、第１の処理として、たとえば図１０，図１１に示す各ステップを実行する。
【００９６】
まず、ＣＣＰＵ２７０は、ＣＣＰＵ２７０におけるアンテナ故障セル検出の開始モードがオンであるか否かを判断する（ステップＳ１００１）。ＣＣＰＵ２７０におけるアンテナ故障セル検出の開始モードは、たとえば、ユーザコアＡＣＰＵ部２８０からＣＣＰＵ２７０へアンテナ故障セル検出起動指示が出力されるとオンになる。また、ＣＣＰＵ２７０におけるアンテナ故障セル検出の開始モードは、ユーザコアＡＣＰＵ部２８０からＣＣＰＵ２７０へアンテナ故障セル検出停止指示が出力されるとオフになる。
【００９７】
ステップＳ１００１において、開始モードがオンでない場合（ステップＳ１００１：Ｎｏ）は、ＣＣＰＵ２７０は、一連の処理を終了する。開始モードがオンである場合（ステップＳ１００１：Ｙｅｓ）は、ＣＣＰＵ２７０は、移動端末装置１１０のサービングセルおよびターゲットセルについての測定結果の出力を要求する測定結果要求をＬ１ベースバンド部２５０へ出力する（ステップＳ１００２）。移動端末装置１１０のサービングセルおよびターゲットセルは、たとえば、ＲＲＣレイヤ３０１がＣＣＰＵ２７０に指定したサービングセルおよびターゲットセルである。
【００９８】
つぎに、ＣＣＰＵ２７０は、移動端末装置１１０のサービングセルおよびターゲットセルについての測定結果をＬ１ベースバンド部２５０から取得する（ステップＳ１００３）。移動端末装置１１０のサービングセルおよびターゲットセルについての測定結果は、たとえばＬ１ベースバンド部２５０からＣＣＰＵ２７０への割り込み通知によってＣＣＰＵ２７０へ出力される。ステップＳ１００３によって取得される測定結果には、たとえば、移動端末装置１１０のターゲットセル（たとえば基地局１２１）の送信アンテナＴｘ＃０，Ｔｘ＃１についての各ＲＳＲＰが含まれる。
【００９９】
つぎに、ＣＣＰＵ２７０は、ステップＳ１００３によって取得した測定結果に基づいて、ターゲットセルの送信アンテナＴｘ＃０，Ｔｘ＃１についての各ＲＳＲＰの差分値（絶対値）が閾値以上であるか否かを判断する（ステップＳ１００４）。たとえば、ステップＳ１００３によって取得される測定結果には、移動端末装置１１０の複数の受信器（たとえば図２に示したアンテナ２０１，２０２）によって受信された各信号におけるＲＳＲＰが含まれる。移動端末装置１１０は、たとえば、この各信号におけるＲＳＲＰの差分値が閾値以上であるか否かを判断することによってステップＳ１００４の判断を行う。
【０１００】
ステップＳ１００４において、差分値が閾値未満である場合（ステップＳ１００４：Ｎｏ）は、ターゲットセルがアンテナ故障セルの候補でないと判断することができる。この場合は、ＣＣＰＵ２７０は、一連の処理を終了する。差分値が閾値以上である場合（ステップＳ１００４：Ｙｅｓ）は、ＣＣＰＵ２７０は、移動端末装置１１０のターゲットセルへのリセレクションの成功回数が０であるか否かを判断する（ステップＳ１００５）。
【０１０１】
ステップＳ１００５において、成功回数が０でない場合（ステップＳ１００５：Ｎｏ）は、過去にターゲットセルへのリセレクションが成功しており、ターゲットセルがアンテナ故障セルの候補でないと判断することができる。この場合は、ＣＣＰＵ２７０は、一連の処理を終了する。
【０１０２】
ステップＳ１００５において、成功回数が０である場合（ステップＳ１００５：Ｙｅｓ）は、ターゲットセルがアンテナ故障セルの候補であると判断することができる。この場合は、ＣＣＰＵ２７０は、アンテナ故障セルの候補であると判断したターゲットセルについてセル管理テーブルを更新する（ステップＳ１００６）。ステップＳ１００６において、たとえば、ＣＣＰＵ２７０は、図４に示したセル管理テーブル４００の「故障検出」のうちのアンテナ故障セルの候補であると判断したターゲットセルに対応するリセレクション状態を“異常”に設定する。
【０１０３】
つぎに、ＣＣＰＵ２７０は、ＲＲＣレイヤ３０１からのセル測定要求があったか否かを判断する（ステップＳ１００７）。セル測定要求は、たとえば移動端末装置１１０のサービングセルやターゲットセルについての測定要求である。たとえば、セル測定要求は、移動端末装置１１０において、サービングセルの受信電力（ＲＳＲＰやＲＳＲＱ）がターゲットセルの受信電力より低くなった場合に、セルリセレクション指示の前に無線網からの制御信号に応じてＲＲＣレイヤ３０１により行われる。無線網は、たとえば、移動端末装置１１０のサービングセルまたはターゲットセルが接続された無線網である。
【０１０４】
ステップＳ１００７において、セル測定要求がなかった場合（ステップＳ１００７：Ｎｏ）は、ＣＣＰＵ２７０は、一連の処理を終了する。セル測定要求があった場合（ステップＳ１００７：Ｙｅｓ）は、ＣＣＰＵ２７０は、セル管理テーブルに含まれる各セルが、セル測定要求の対象セルとなるようにセル管理テーブルを更新する（ステップＳ１００８）。この際、セル管理テーブルに含まれる各セルのうちのセル測定要求の対象セルに含まれないセルは削除対象となる。
【０１０５】
つぎに、ＣＣＰＵ２７０は、ステップＳ１００８による更新によってセル管理テーブルからの削除対象となったターゲットセルがあるか否かを判断する（ステップＳ１００９）。削除対象となったターゲットセルがない場合（ステップＳ１００９：Ｎｏ）は、ＣＣＰＵ２７０は、一連の処理を終了する。
【０１０６】
ステップＳ１００９において、削除対象となったターゲットセルがある場合（ステップＳ１００９：Ｙｅｓ）は、ＣＣＰＵ２７０は、セル管理テーブルにおいて、削除対象となったターゲットセルのリセレクション状態が“異常”であったか否かを判断する（ステップＳ１０１０）。リセレクション状態が“異常”でない場合（ステップＳ１０１０：Ｎｏ）は、削除対象となったターゲットセルがアンテナ故障セルの候補でないと判断することができる。この場合は、ＣＣＰＵ２７０は、一連の処理を終了する。
【０１０７】
ステップＳ１０１０において、リセレクション状態が“異常”である場合（ステップＳ１０１０：Ｙｅｓ）は、ＣＣＰＵ２７０は、ステップＳ１０１１へ移行する。すなわち、ＣＣＰＵ２７０は、削除対象となったターゲットセルのセル管理テーブルにおける各ＲＳＲＰの差分値が閾値以上であるか否かを判断する（ステップＳ１０１１）。
【０１０８】
ステップＳ１０１１において、差分値が閾値未満である場合（ステップＳ１０１１：Ｎｏ）は、削除対象となったターゲットセルがアンテナ故障セルの候補でないと判断することができる。この場合は、ＣＣＰＵ２７０は、一連の処理を終了する。
【０１０９】
ステップＳ１０１１において、差分値が閾値以上である場合（ステップＳ１０１１：Ｙｅｓ）は、ＣＣＰＵ２７０は、削除対象となったターゲットセルのセル管理テーブルにおけるリセレクションの成功回数が０であるか否かを判断する（ステップＳ１０１２）。
【０１１０】
ステップＳ１０１２において、成功回数が０でない場合（ステップＳ１０１２：Ｎｏ）は、削除対象となったターゲットセルがアンテナ故障セルの候補でないと判断することができる。この場合は、ＣＣＰＵ２７０は、一連の処理を終了する。成功回数が０である場合（ステップＳ１０１２：Ｙｅｓ）は、ＣＣＰＵ２７０は、セル測定要求の対象セル（アンテナ故障セル）を示すアンテナ故障セル検出情報をユーザコアＡＣＰＵ部２８０へ出力する（ステップＳ１０１３）。アンテナ故障セル検出情報には、アンテナ故障セルの測定結果やセルリセレクションの成功回数等を示す情報が含まれていてもよい。
【０１１１】
また、ＣＣＰＵ２７０は、セル測定要求の対象セル（アンテナ故障セル）を示す異常検出ログの送信を要求する異常検出ログ送信要求をＬ１ベースバンド部２５０へ出力し（ステップＳ１０１４）、一連の処理を終了する。異常検出ログには、アンテナ故障セルの測定結果やセルリセレクションの成功回数等を示す情報が含まれていてもよい。
【０１１２】
ステップＳ１０１１，Ｓ１０１２により、削除対象となったターゲットセルがアンテナ故障セルであるか否かを再度確認することができる。ただし、ステップＳ１０１１，Ｓ１０１２を省いた処理とすることも可能である。
【０１１３】
図１２は、実施の形態にかかる移動端末装置のＣＣＰＵによる第２の処理の一例を示すフローチャートである。ＣＣＰＵ２７０は、図１０，図１１に示した第１の処理とともに、第２の処理として、たとえば図１２に示す各ステップを実行する。
【０１１４】
まず、ＣＣＰＵ２７０は、ＣＣＰＵ２７０におけるアンテナ故障セル検出の開始モードがオンであるか否かを判断する（ステップＳ１２０１）。開始モードがオンでない場合（ステップＳ１２０１：Ｎｏ）は、ＣＣＰＵ２７０は、一連の処理を終了する。開始モードがオンである場合（ステップＳ１２０１：Ｙｅｓ）は、ＣＣＰＵ２７０は、Ｌ１ベースバンド部２５０からサービングセルやターゲットセルについての測定結果が出力されたか否かを判断する（ステップＳ１２０２）。
【０１１５】
ステップＳ１２０２において、測定結果が出力されていない場合（ステップＳ１２０２：Ｎｏ）は、ＣＣＰＵ２７０は、一連の処理を終了する。測定結果が出力された場合（ステップＳ１２０２：Ｙｅｓ）は、ＣＣＰＵ２７０は、セル管理テーブルに基づくユーザへの表示対象の測定結果をユーザコアＡＣＰＵ部２８０へ出力し（ステップＳ１２０３）、一連の処理を終了する。ターゲットセルについての測定結果には、たとえば、ターゲットセルの各送信アンテナのＲＳＲＰとその差分値や、ターゲットセルへのリセレクションの成功回数等が含まれる。
【０１１６】
（実施の形態にかかる移動端末装置のユーザコアＡＣＰＵ部による処理）
図１３は、実施の形態にかかる移動端末装置のユーザコアＡＣＰＵ部による処理の一例を示すフローチャートである。ユーザコアＡＣＰＵ部２８０は、たとえば図１３に示す各ステップを実行する。
【０１１７】
まず、ユーザコアＡＣＰＵ部２８０は、ユーザコアＡＣＰＵ部２８０におけるアンテナ故障セル検出の開始モードがオンか否かを判断する（ステップＳ１３０１）。ユーザコアＡＣＰＵ部２８０におけるアンテナ故障セル検出の開始モードは、たとえば、ユーザコアＡＣＰＵ部２８０がユーザまたは保守センタ１４０からのアンテナ故障セル検出起動指示を受け付けるとオンになる。また、ユーザコアＡＣＰＵ部２８０におけるアンテナ故障セル検出の開始モードは、たとえば、ユーザコアＡＣＰＵ部２８０がユーザまたは保守センタ１４０からのアンテナ故障セル検出停止指示を受け付けるとオフになる。
【０１１８】
ステップＳ１３０１において、開始モードがオンでない場合（ステップＳ１３０１：Ｎｏ）は、ユーザコアＡＣＰＵ部２８０は、一連の処理を終了する。開始モードがオンである場合（ステップＳ１３０１：Ｙｅｓ）は、ＣＣＰＵ２７０からサービングセルやターゲットセルについての測定結果が出力されたか否かを判断する（ステップＳ１３０２）。
【０１１９】
ステップＳ１３０２において、測定結果が出力されていない場合（ステップＳ１３０２：Ｎｏ）は、ユーザコアＡＣＰＵ部２８０は、一連の処理を終了する。測定結果が出力された場合（ステップＳ１３０２：Ｙｅｓ）は、ユーザコアＡＣＰＵ部２８０は、出力された測定結果を画面表示し（ステップＳ１３０３）、一連の処理を終了する。ステップＳ１３０３によって画面表示されるターゲットセルについての測定結果には、たとえば、ターゲットセルの各送信アンテナのＲＳＲＰとその差分値や、ターゲットセルへのリセレクションの成功回数等が含まれる。
【０１２０】
また、ユーザコアＡＣＰＵ部２８０は、図５，図６に示したように、データ表示要求が発生した場合に、ＣＣＰＵ２７０から出力された測定結果を画面表示するようにしてもよい。また、ユーザコアＡＣＰＵ部２８０は、図５，図６に示したように、ＣＣＰＵ２７０から出力されたアンテナ故障セル検出情報を画面表示するようにしてもよい。
【０１２１】
（実施の形態にかかる移動端末装置が送信する異常検出ログ）
図１４は、実施の形態にかかる移動端末装置が送信する異常検出ログの一例を示す図である。移動端末装置１１０は、たとえば図５に示したステップＳ５１５や図６に示したステップＳ６１７において、図１４に示す異常検出ログ１４００を保守センタ１４０へ送信する。異常検出ログ１４００は、たとえば図４に示したセル管理テーブル４００に基づいて作成される。
【０１２２】
異常検出ログ１４００の「００：００：００」は、たとえば異常検出ログ１４００の送信時の時刻（ｔｉｍｅ）を示す。または、異常検出ログ１４００の「００：００：００」は、セル管理テーブル４００の最終更新時の時刻（ｔｉｍｅ）を示す情報であってもよい。異常検出ログ１４００の「ＬＴＥ」は、サービングセルのＲＡＴ（Ｒａｄｉｏ  Ａｃｃｅｓｓ  Ｔｅｃｈｎｏｌｏｇｙ：無線アクセステクノロジ）を示す。
【０１２３】
異常検出ログ１４００の「２１４７．２」は、移動端末装置１１０のサービングセルの周波数を示す。異常検出ログ１４００の「２０１」は、移動端末装置１１０のサービングセルのＰＣＩを示す。異常検出ログ１４００の「−８３．５」、「−８２．６」および「−８０．６」は、それぞれ移動端末装置１１０のサービングセルの各送信アンテナのＲＳＲＰおよびＲＳＲＱを示す。
【０１２４】
異常検出ログ１４００の「０」、「５」および「０」は、移動端末装置１１０のサービングセルについての、各送信アンテナのＲＳＲＰの差分値（小数点以下切り捨て）、リセレクションの成功回数およびリセレクション状態を示す。
【０１２５】
異常検出ログ１４００の「２０４」は、アンテナ故障セルとして検出されたターゲットセルのＰＣＩを示す。異常検出ログ１４００の「−１０３．６」、「−８９．３」および「−８７．４」は、アンテナ故障セルとして検出されたターゲットセルの各送信アンテナのＲＳＲＰおよびＲＳＲＱを示す。
【０１２６】
異常検出ログ１４００の「１４」、「０」および「１」は、移動端末装置１１０のサービングセルについての、各送信アンテナのＲＳＲＰの差分値（小数点以下切り捨て）、リセレクションの成功回数およびリセレクション状態を示す。
【０１２７】
移動端末装置１１０が異常検出ログ１４００を保守センタ１４０へ送信することにより、保守センタ１４０において、ＰＣＩが「２０４」のセルがアンテナ故障セルであることを把握することができる。また、保守センタ１４０において、このアンテナ故障セルの各送信アンテナのＲＳＲＰおよびＲＳＲＱの最新の値はそれぞれ「−１０３．６」、「−８９．３」および「−８７．４」であったことを把握することができる。
【０１２８】
図１４に示したように、移動端末装置１１０は、セル管理テーブル４００などの各セルの蓄積情報からアンテナ故障セルとして検出したセルに関する情報を抽出し、抽出した情報を異常検出ログ１４００として保守センタ１４０へ自動送信する。保守センタ１４０においては、たとえばモニタに異常検出ログ１４００が画面表示され、通信システム１００の保守者がアンテナ故障セルに関する情報を把握することができる。
【０１２９】
このように、実施の形態にかかる移動端末装置１１０によれば、複数の受信器によって受信された各信号における受信レベルの差分値が所定値以上であるか否かに基づいて、基地局１２１の故障を検出することができる。そして、故障を検出した基地局１２１に関するログを記憶しておき、該セル管理テーブルを無線網からの制御信号に基づき更新する際に、該セル管理テーブルからの削除対象となったセルに対応する基地局１２１に関するログを送信することができる。これにより、ログの送信による移動端末装置１１０の消費電力の削減を図りつつ、移動端末装置１１０が送信するログを充実させることができる。
【０１３０】
以上説明したように、移動端末装置によれば、ログの送信による移動端末の消費電力の削減を図りつつ、送信対象のログを充実させることができる。
【０１３１】
たとえば、基地局の送信アンテナには通常、取り替え時期が設定されるが、取り替え時期より先に基地局の送信アンテナが摩耗すると、その摩耗を検出することは困難である。基地局の送信アンテナが摩耗して故障した場合は、移動端末側の要因と判定されるケースも多く、その調査に多大なコストがかかる場合もある。
【０１３２】
また、移動端末は、ターゲットセルの方がサービングセルより受信レベルが高くなっても、ターゲットセルの受信レベルが低下している場合は異周波数セルリセレクションを行わない。このため、移動端末は受信レベルが低いサービングセルから移行できないままになる。したがって、ターゲットセルを測定するため指示（Ｉｎｔｒａ  Ｂａｎｄ／Ｉｎｔｅｒ  Ｆｒｅｑ  Ｍｅａｓｕｒｅｍｅｎｔ）が出力されず、移動端末の接続が維持できなくなって圏外となり、通信中の接続維持率が低下する場合がある。
【０１３３】
また、アンテナ故障セルを検出するために、通信エリアの接続維持率を直接検出しようとすると、通信エリアの各地点で無線信号の通信品質を監視する装置とともに、それぞれの通信品質データを収集するための手段を要する。また、劣化したセルの受信レベル情報、システムリセット情報、通信品質データなどの膨大な異常検出ログを移動端末から保守センタへ送信すると、異常検出ログの送信に長い時間と大きな送信電力を要する。また、膨大な異常検出ログを保守センタで解析するためにも長い時間を要し、手間がかかる。
【０１３４】
これに対して、上述した実施の形態にかかる移動端末装置１１０によれば、移動端末装置１１０の複数の受信器によって受信された各信号における受信レベルの差分値が所定値以上であるか否かに基づいて基地局の故障を検出することができる。これにより、基地局の送信アンテナの磨耗等による故障を検出することができる。また、移動端末装置１１０において定期的に実行される周辺セルの測定処理における測定結果を利用して基地局の故障を検出することが可能になる。なお、この基地局の故障があったとしても、少なくとも移動端末装置１１０はサービングセルには無線アクセスができているものとする。
【０１３５】
また、移動端末装置１１０は、上述した差分値が所定値以上であるか否かに加えて、対象の基地局へのセルリセレクション（ハンドオーバ）の成功回数も参照して該基地局の故障を検出する。たとえば、移動端末装置１１０は、上述した差分値が所定値以上であっても、対象の基地局へのセルリセレクションの成功回数がゼロでない場合は基地局が故障していると判断しない。これにより、基地局の故障を精度よく検出することができる。
【０１３６】
または、移動端末装置１１０は、上述した差分値が所定値以上であるか否かに加えて、対象の基地局へのセルリセレクションの失敗回数も参照して該基地局の故障を検出してもよい。たとえば、移動端末装置１１０は、上述した差分値が所定値以上であっても、対象の基地局へのセルリセレクションの失敗回数がゼロである場合は基地局が故障していると判断しない。これにより、基地局の故障を精度よく検出することができる。
【０１３７】
また、移動端末装置１１０は、無線網からの制御信号（たとえばセル測定要求）を受けて移動端末装置１１０が保持するセル管理テーブルを更新する際に、削除対象となったセルに対応する、故障と判断した基地局に関する異常検出ログを送信する。セル管理テーブルの更新は、たとえば、移動端末装置１１０の移動に伴う、周辺セル測定の対象となるセルが列挙されているセル管理テーブル４００（周辺セルリスト）の更新である。
【０１３８】
すなわち、移動端末装置１１０は、アンテナ故障セルとして検出した基地局に関する異常検出ログを、該セルがセル管理テーブルの更新により削除対象となるまで送信しないようにする。これにより、異常検出ログの送信までの間に繰り返し実行されるセル測定の結果を蓄積することができるため、送信する異常検出ログの内容を充実させることが可能になる。
【０１３９】
たとえば、移動端末装置１１０は、アンテナ故障セルを検出してから異常検出ログを送信するまでの期間における該アンテナ故障セルの無線品質の測定結果のうちの最新の測定結果を含む異常検出ログを送信することが可能になる（たとえば図１４参照）。これにより、保守センタ１４０において、アンテナ故障セルが検出された後における該アンテナ故障セルの状態を分析することが可能になる。
【０１４０】
または、移動端末装置１１０は、アンテナ故障セルを検出してから異常検出ログを送信するまでの期間における該アンテナ故障セルの無線品質の測定結果の平均値を算出し、算出結果を含む異常検出ログを送信してもよい。これにより、保守センタ１４０において、アンテナ故障セルが検出された後における該アンテナ故障セルの状態を分析することが可能になる。
【０１４１】
または、移動端末装置１１０は、アンテナ故障セルを検出してから異常検出ログを送信するまでの期間における該アンテナ故障セルの無線品質の周期的な測定結果の履歴を蓄積し、蓄積結果を含む異常検出ログを送信してもよい。これにより、アンテナ故障セルが検出された後の無線品質の変化を分析することが可能になる。
【０１４２】
このように、通信システム１００によれば、アンテナ故障セルとして検出した基地局に関する異常検出ログを、該セルがセル管理テーブルの更新により削除対象となるまで送信しないようにすることで、送信する異常検出ログの内容を充実させることが可能になる。このため、保守センタ１４０における該アンテナ故障セルの状態の分析が容易になる。
【０１４３】
また、アンテナ故障セルとして検出した基地局に関する異常検出ログを、該セルがセル管理テーブルの更新により削除対象となるまで送信しないようにすることで、異常検出ログの送信機会を限定することができる。このため、たとえばアンテナ故障セルを検出するたびに異常検出ログを送信する場合に比べて、異常検出ログの送信による移動端末装置１１０の消費電力を抑えることができる。また、異常検出ログの送信による通信システム１００のスループットへの影響を抑えることができる。
【０１４４】
また、アンテナ故障セルとして検出した基地局に関する異常検出ログを抽出して送信することで、異常検出ログのデータサイズを小さくすることができる。このため、異常検出ログの送信による移動端末装置１１０の消費電力を抑えることができる。また、異常検出ログの送信による通信システム１００のスループットへの影響を抑えることができる。
【０１４５】
また、上述したアンテナ故障セルの検出は、たとえば移動端末装置１１０のＣＣＰＵ２７０およびＬ１ベースバンド部２５０のソフトウェアの構成変更によって実現可能なシステムである。また、移動端末装置１１０は、たとえばスマートフォン等の汎用的な端末によって実現可能である。このため、上述したアンテナ故障セルの検出を低コストで実施することが可能である。
【符号の説明】
【０１４６】
１００  通信システム
１０１〜１０３  位置
１１０  移動端末装置
１２１，１２２  基地局
１３０  ネットワーク
１４０  保守センタ
２０１，２０２  アンテナ
２１０  アンテナスイッチ
２２０  ＲＦＩＣ
２３０  デジタル高周波物理処理回路
２４０  無線コア
２５０  Ｌ１ベースバンド部
２５１  ＲＦインタフェース
２５２  ＧＳＭハードウェア
２５３  ＬＴＥハードウェア
２５４  ＷＣＤＭＡハードウェア
２５５  無線制御ファームウェア群
２６０  ＡＰＢ
２７０  ＣＣＰＵ
２７１  ＡＸＩ
２７２  ＣＰＰ
２７３  ＵＰＰ
２７４  ＤＭＡＣ
２８０  ユーザコアＡＣＰＵ部
２９１  ＳＤＲＡＭ
２９２  ユーザインタフェース
３０１  ＲＲＣレイヤ
３０２  ＰＤＣＰレイヤ
３０３  ＲＬＣレイヤ
３０４  ＭＡＣレイヤ
３０５  無線ソフトウェア
３０６  無線ファームウェア
４００  セル管理テーブル
１４００  異常検出ログ
【図１】
2016194152.tif 000003
【図２】
2016194152.tif 000004
【図３】
2016194152.tif 000005
【図４】
2016194152.tif 000006
【図５】
2016194152.tif 000007
【図６】
2016194152.tif 000008
【図７】
2016194152.tif 000009
【図８】
2016194152.tif 000010
【図９】
2016194152.tif 000011
【図１０】
2016194152.tif 000012
【図１１】
2016194152.tif 000013
【図１２】
2016194152.tif 000014
【図１３】
2016194152.tif 000015
【図１４】
2016194152.tif 000016
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
基地局からの無線信号を受信する複数の受信器と、
前記複数の受信器によって受信された各信号における受信レベルの差分値が所定値以上であるか否かに基づいて前記基地局の故障を検出する検出部と、
前記故障が検出された基地局に関するログを記憶する記憶部と、
自装置による無線品質の測定対象のセルを示すセル管理テーブルを無線網からの制御信号に基づき更新する際に、前記セル管理テーブルからの削除対象となったセルに対応する前記故障が検出された基地局に関するログを送信する送信部と、
を備えることを特徴とする移動端末装置。
【請求項２】
前記検出部は、前記受信レベルの差分値が前記所定値以上であるか否かと、前記基地局へのセルリセレクションの成功回数または失敗回数と、に基づいて前記基地局の故障を検出することを特徴とする請求項１に記載の移動端末装置。
【請求項３】
前記送信部は、前記故障が検出されてから前記ログを送信するまでの期間における、前記故障が検出された基地局の無線品質の測定結果を含む前記ログを送信することを特徴とする請求項１または２に記載の移動端末装置。
【手続補正２】
【補正対象書類名】明細書
【補正対象項目名】全文
【補正方法】変更
【補正の内容】
【発明の詳細な説明】
【技術分野】
【０００１】
本発明は、移動端末装置に関する。
【背景技術】
【０００２】
従来、複数のセルを用いて無線通信を行うセルラ通信において、移動端末が、１つのセルから他のセルに移動するときに、セルを切り替えて通信を継続するセルリセレクションが知られている。また、基地局や移動端末などの無線通信装置における障害の検出を行う技術が知られている（たとえば、下記特許文献１〜３参照。）。
【先行技術文献】
【特許文献】
【０００３】
【特許文献１】特表平９−５０４９１６号公報
【特許文献２】特開２００３−２９８５０１号公報
【特許文献３】特開２００３−５１８８２号公報
【発明の概要】
【発明が解決しようとする課題】
【０００４】
しかしながら、上述した従来技術では、たとえば移動端末を用いて基地局の故障を検出する場合に、移動端末において基地局の故障を検出する度に移動端末に蓄積されたログを保守センタ等へ送信すると、移動端末の消費電力が大きくなるという問題がある。
【０００５】
また、移動端末において基地局の故障を検出してすぐに移動端末に蓄積されたログを保守センタ等へ送信すると、故障した基地局に関して移動端末に蓄積されたログが少なく、送信対象のログを充実させることが困難という問題がある。
【０００６】
１つの側面では、本発明は、ログの送信による移動端末の消費電力の削減を図りつつ、送信対象のログを充実させることができる移動端末装置を提供することを目的とする。
【課題を解決するための手段】
【０００７】
上述した課題を解決し、目的を達成するため、本発明の一側面によれば、基地局からの無線信号を受信する複数の受信器と、前記複数の受信器によって受信された各信号における受信レベルの差分値が所定値以上であるか否かに基づいて前記基地局の故障を検出する検出部と、前記故障が検出された基地局に関するログを記憶する記憶部と、自装置による無線品質の測定対象のセルを示すセル管理テーブルを無線網からの制御信号に基づき更新する際に、前記セル管理テーブルからの削除対象となったセルに対応する前記故障が検出された基地局に関するログを送信する送信部と、を備える移動端末装置が提案される。
【発明の効果】
【０００８】
本発明の一側面によれば、ログの送信による移動端末の消費電力の削減を図りつつ、送信対象のログを充実させることができるという効果を奏する。
【図面の簡単な説明】
【０００９】
【図１】図１は、実施の形態にかかる通信システムの一例を示す図である。
【図２】図２は、実施の形態にかかる移動端末装置の一例を示す図である。
【図３】図３は、実施の形態にかかる移動端末装置に適用可能な各レイヤの一例を示す図である。
【図４】図４は、実施の形態にかかる移動端末装置が記憶するセル管理テーブルの一例を示す図である。
【図５】図５は、実施の形態にかかる通信システムにおけるアンテナ故障セル検出起動の処理の一例を示すシーケンス図である。
【図６】図６は、実施の形態にかかる通信システムにおけるアンテナ故障セル検出起動の処理の他の例を示すシーケンス図である。
【図７】図７は、実施の形態にかかる通信システムにおけるアンテナ故障セル検出停止の処理の一例を示すシーケンス図である。
【図８】図８は、実施の形態にかかる通信システムにおけるアンテナ故障セル検出停止の処理の他の例を示すシーケンス図である。
【図９】図９は、実施の形態にかかる移動端末装置のＬ１ベースバンド部による処理の一例を示すフローチャートである。
【図１０】図１０は、実施の形態にかかる移動端末装置のＣＣＰＵによる第１の処理の一例を示すフローチャート（その１）である。
【図１１】図１１は、実施の形態にかかる移動端末装置のＣＣＰＵによる第１の処理の一例を示すフローチャート（その２）である。
【図１２】図１２は、実施の形態にかかる移動端末装置のＣＣＰＵによる第２の処理の一例を示すフローチャートである。
【図１３】図１３は、実施の形態にかかる移動端末装置のユーザコアＡＣＰＵ部による処理の一例を示すフローチャートである。
【図１４】図１４は、実施の形態にかかる移動端末装置が送信する異常検出ログの一例を示す図である。
【発明を実施するための形態】
【００１０】
以下に図面を参照して、本発明にかかる移動端末装置の実施の形態を詳細に説明する。
【００１１】
（実施の形態）
（実施の形態にかかる通信システム）
図１は、実施の形態にかかる通信システムの一例を示す図である。図１に示すように、実施の形態にかかる通信システム１００は、移動端末装置１１０と、基地局１２１，１２２と、ネットワーク１３０と、保守センタ１４０と、を含む。移動端末装置１１０は、基地局１２１，１２２との間で無線通信が可能な無線通信装置である。
【００１２】
保守センタ１４０は、通信システム１００の保守を行う保守局である。保守センタ１４０は、ネットワーク１３０を介して基地局１２１，１２２と接続されている。ネットワーク１３０は、たとえばＥＰＣ（Ｅｖｏｌｖｅｄ  Ｐａｃｋｅｔ  Ｃｏｒｅ）などのコアネットワークである。また、ネットワーク１３０は、インターネットなどの広域ネットワークを含んでいてもよい。
【００１３】
基地局１２１は、それぞれ異なる周波数のバンドＡ１〜Ａ３の各セルを形成している。基地局１２２は、それぞれ異なる周波数のバンドＢ１〜Ｂ３の各セルを形成している。また、基地局１２１，１２２のそれぞれは、移動端末装置１１０へ無線信号を送信する際に、同一のデータを複数の送信アンテナによって送信する送信ダイバーシチを行う。
【００１４】
移動端末装置１１０は、データ通信に使用するセル（サービングセル）を移動にともなって切り替える異周波数セルリセレクションを行う。たとえば、移動端末装置１１０は、サービングセルの無線品質が他の周辺のセル（ターゲットセル）の無線品質より低くなり、かつ、ターゲットセルにおける送信アンテナ間の無線品質の差分値が小さい場合に異周波数セルリセレクションを行う。異周波数セルリセレクションのために測定される無線品質には、たとえばＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）やＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）などが用いられる。
【００１５】
たとえば、移動端末装置１１０は、位置１０１において、基地局１２２のバンドＢ１をサービングセルとしてデータ通信を行っているとする。この状態から、移動端末装置１１０が基地局１２１のバンドＡ２をターゲットセルとしてハンドオーバする異周波数セルリセレクションを行う場合について説明する。異周波数セルリセレクションは、たとえば移動端末装置１１０におけるＲＲＣレイヤの処理によって行われる。
【００１６】
移動端末装置１１０は、位置１０１から位置１０２へ移動し、ＲＲＣレイヤの処理によって測定対象のセルに基地局１２１のバンドＡ２を追加したとする（Ａｄｄ  Ａ２）。これにより、移動端末装置１１０は、基地局１２２のバンドＢ１および基地局１２１のバンドＡ２の無線品質の測定を行う状態となる。移動端末装置１１０が無線品質を測定するセルおよび無線品質の測定結果は、移動端末装置１１０のセル管理テーブルに記憶される。
【００１７】
位置１０２において、移動端末装置１１０による測定の結果、サービングセル（バンドＢ１）の無線品質がターゲットセル（バンドＡ２）の無線品質より低くなったとする。また、送信ダイバーシチ状態である基地局１２１のバンドＡ２における送信アンテナ間のＲＳＲＰの差が閾値未満であったとする。この場合は、移動端末装置１１０は、サービングセルを基地局１２２のバンドＢ１から基地局１２１のバンドＡ２に切り替える異周波数セルリセレクションを行う。
【００１８】
つぎに、移動端末装置１１０は、位置１０２から位置１０３へ移動し、ＲＲＣレイヤの処理によって基地局１２２のバンドＢ１を測定対象のセルから削除したとする（Ｄｒｏｐ  Ｂ１）。これにより、移動端末装置１１０は、基地局１２１のバンドＡ２の無線品質の測定を行う状態となる。
【００１９】
図１に示した例において、基地局１２１の送信アンテナが故障している場合は、基地局１２１における送信アンテナ間のＲＳＲＰの差分値が大きくなる。この場合は、移動端末装置１１０のサービングセルを基地局１２１のバンドＡ２に切り替える異周波数セルリセレクションを行うことができなくなる。
【００２０】
この場合に、移動端末装置１１０は、基地局１２１における送信アンテナ間のＲＳＲＰの差分値に基づいて基地局１２１のバンドＡ２の送信アンテナの故障を検出する。そして、移動端末装置１１０は、送信アンテナの故障を検出したバンドＡ２が、ＲＲＣレイヤの処理によって測定対象セルからの削除対象となってから、基地局１２２のバンドＢ１に関するログを保守センタ１４０へ送信する。
【００２１】
図１に示す例では、移動端末装置１１０のサービングセルは基地局１２２のバンドＢ１であるため、移動端末装置１１０は、たとえば、バンドＢ１およびネットワーク１３０を介してログを保守センタ１４０へ送信する。
【００２２】
このように、移動端末装置１１０によれば、移動端末装置１１０の複数の受信器によって受信された各信号における受信レベルの差分値が所定値以上であるか否かに基づいて基地局１２１の故障を検出することができる。これにより、基地局１２１の送信アンテナの磨耗等による故障を検出することができる。なお、この基地局１２１の故障があったとしても、少なくとも移動端末装置１１０はサービングセル（基地局１２２のバンドＢ１）には無線アクセスができているものとする。
【００２３】
また、移動端末装置１１０は、無線網からの制御信号（たとえばセル測定要求）を受けて移動端末装置１１０が保持するセル管理テーブルを更新する際に、削除対象となったセルに対応する、故障と判断した基地局１２１に関するログを送信する。これにより、ログの送信までの間に繰り返し実行されるセル測定の結果を蓄積することができるため、送信するログの内容を充実させることが可能になる。また、ログの送信機会を限定することで、ログの送信による移動端末装置１１０の消費電力を抑えることができる。
【００２４】
（実施の形態にかかる移動端末装置）
図２は、実施の形態にかかる移動端末装置の一例を示す図である。図２に示すように、実施の形態にかかる移動端末装置１１０は、たとえば、アンテナ２０１，２０２と、ＲＦＩＣ２２０と、デジタル高周波物理処理回路２３０と、を備える。また、移動端末装置１１０は、無線コア２４０と、ユーザコアＡＣＰＵ部２８０と、ＳＤＲＡＭ２９１と、を備える。また、移動端末装置１１０は、ユーザインタフェース２９２を備えていてもよい。
【００２５】
アンテナ２０１，２０２は、基地局１２１，１２２との間で無線通信を行うための複数の受信器である。アンテナ２０１，２０２は、アンテナスイッチ２１０（ＡＮＴ  ＳＷ）を介してＲＦＩＣ２２０と接続されている。
【００２６】
ＲＦＩＣ２２０（Ｒａｄｉｏ  Ｆｒｅｑｕｅｎｃｙ  Ｉｎｔｅｇｒａｔｅｄ  Ｃｉｒｃｕｉｔ：高周波回路）は、移動端末装置１１０がアンテナ２０１，２０２を用いて無線信号を送受信するための高周波処理を行う回路である。ＲＦＩＣ２２０は、たとえば、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＬＴＥ（Ｌｏｎｇ  Ｔｅｒｍ  Ｅｖｏｌｕｔｉｏｎ）の各システムに対応したＲＦＩＣである。なお、ＧＳＭは登録商標である。ＲＦＩＣ２２０は、デジタル高周波物理処理回路２３０と接続されている。
【００２７】
デジタル高周波物理処理回路２３０（ＤｉｇＲＦ  ＰＨＹ）は、無線コア２４０のＬ１ベースバンド部２５０との間のインタフェース（Ｄｉｇ−ＲＦ  Ｉ／Ｆ）を備え、ＲＦＩＣ２２０との通信制御を行うモジュールである。
【００２８】
無線コア２４０は、Ｌ１ベースバンド部２５０と、ＡＰＢ２６０と、ＣＣＰＵ２７０と、を備える。Ｌ１ベースバンド部２５０は、物理層（Ｌ１）におけるベースバンド処理を行う。たとえば、Ｌ１ベースバンド部２５０は、移動端末装置１１０の周辺の各セルの受信レベル等の測定を行う。
【００２９】
Ｌ１ベースバンド部２５０は、たとえば、ＲＦインタフェース２５１（ＲＦ−ＩＦ）と、ＧＳＭハードウェア２５２（ＧＳＭ−ＨＷ）と、を備える。また、Ｌ１ベースバンド部２５０は、ＬＴＥハードウェア２５３（ＬＴＥ−ＨＷ）と、ＷＣＤＭＡハードウェア２５４（ＷＣＤＭＡ−ＨＷ）と、無線制御ファームウェア群２５５（無線制御ＦＷ）と、を備える。
【００３０】
ＲＦインタフェース２５１は、Ｌ１ベースバンド部２５０とデジタル高周波物理処理回路２３０との間の通信インタフェースである。ＧＳＭハードウェア２５２は、ＧＳＭのベースバンド処理を行うハードウェアである。ＬＴＥハードウェア２５３は、ＬＴＥのベースバンド処理を行うハードウェアである。ＷＣＤＭＡハードウェア２５４は、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）のベースバンド処理を行う。なお、ＷＣＤＭＡは登録商標である。
【００３１】
無線制御ファームウェア群２５５は、移動端末装置１１０における無線通信を制御するファームウェア群である。無線制御ファームウェア群２５５は、たとえばＬ１ベースバンド部２５０に含まれるプロセッサにより実現される。
【００３２】
Ｌ１ベースバンド部２５０は、ダウンリンクの処理として、たとえば、デジタル高周波物理処理回路２３０からＲＦインタフェース２５１を介して入力されたＩＱデータに基づくサーチ処理を行い、無線フレームタイミングの検出や補正を行う。また、Ｌ１ベースバンド部２５０は、ＬＴＥハードウェア２５３により物理チャネルのサブキャリアデマッピング処理を行い、ＷＣＤＭＡハードウェア２５４により逆拡散処理、復調処理、復号処理を行う。また、Ｌ１ベースバンド部２５０は、ＣＣＰＵ２７０のＣＰＰ２７２へ無線制御情報（ダウンリンク共有チャネルのデータ）およびユーザパケットデータを出力する。
【００３３】
また、Ｌ１ベースバンド部２５０は、アップリンクの処理として、たとえば、ＣＣＰＵ２７０から入力されたアップリンクのデータにＣＲＣ（Ｃｙｃｌｉｃ  Ｒｅｄｕｎｄａｎｃｙ  Ｃｈｅｃｋ：巡回冗長検査）を付加することにより符号化処理を施す。また、Ｌ１ベースバンド部２５０は、アップリンク共有チャネルおよび該チャネルに付随する制御チャネルを変調する。また、Ｌ１ベースバンド部２５０は、ＬＴＥハードウェア２５３によりＤＦＴ（Ｄｉｓｃｒｅｔｅ  Ｆｏｕｒｉｅｒ  Ｔｒａｎｓｆｏｒｍ：離散フーリエ変換）やＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）を行う。また、Ｌ１ベースバンド部２５０は、ＷＣＤＭＡハードウェア２５４により拡散処理を行う。また、Ｌ１ベースバンド部２５０は、無線フレームタイミングにおいて、逆拡散処理を行った信号を、ＲＦインタフェース２５１を介してデジタル高周波物理処理回路２３０へ出力する。
【００３４】
ＡＰＢ２６０（Ａｄｖａｎｃｅｄ  Ｐｅｒｉｐｈｅｒａｌ  Ｂｕｓ）は、Ｌ１ベースバンド部２５０とＣＣＰＵ２７０とを接続するバスである。ＡＰＢ２６０とＬ１ベースバンド部２５０との間はＡＰＢバスインタフェース（ＡＰＢバスＩ／Ｆ）を介して接続されている。
【００３５】
ＣＣＰＵ２７０（Ｃｏｍｕｎｉｃａｔｉｏｎ  Ｃｅｎｔｒａｌ  Ｐｒｏｃｅｓｓｉｎｇ  Ｕｎｉｔ）は、移動端末装置１１０による無線通信を制御するための無線ソフトウェアを実行するプロセッサである。たとえば、ＣＣＰＵ２７０は、ＡＸＩ２７１と、ＣＰＰ２７２と、ＵＰＰ２７３と、ＤＭＡＣ２７４と、を備える。
【００３６】
ＡＸＩ２７１（Ａｄｖａｎｃｅｄ  ｅＸｔｅｎｓｉｂｌｅ  Ｉｎｔｅｒｆａｃｅ）は、ＣＣＰＵ２７０とＡＰＢ２６０との間、およびＣＣＰＵ２７０とＬ１ベースバンド部２５０との間のインタフェース（ＡＸＩバスＩ／Ｆ）である。
【００３７】
ＣＰＰ２７２は、主にレイヤ３のＲＲＣ（Ｒａｄｉｏ  Ｒｅｓｏｕｒｃｅ  Ｃｏｎｔｒｏｌ：無線リソース制御）におけるパケット交換方式（ＰＳ：Ｐａｃｋｅｄ  Ｓｗｉｔｃｈｅｄ）の無線制御を決定する処理を行う。また、ＣＰＰ２７２は、ハンドオーバ、同周波数／異周波数受信レベルの測定を行う。ＵＰＰ２７３は、ユーザコアにユーザ情報（パケットデータ）を送信する処理や、ユーザコアＡＣＰＵ部２８０からユーザ要求指示の情報を受信する処理などを行うコアである。
【００３８】
ＤＭＡＣ２７４（Ｄｉｒｅｃｔ  Ｍｅｍｏｒｙ  Ａｃｃｅｓｓ  Ｃｏｎｔｒｏｌｌｅｒ）は、ＳＤＲＡＭ２９１に対するデータの書き込みやＳＤＲＡＭ２９１からのデータの読み出しを行う。また、ＤＭＡＣ２７４は、ＣＣＰＵ２７０からＬ１ベースバンド部２５０に対して無線制御指示データを転送するＤＭＡ処理を行う。ＳＤＲＡＭ２９１（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）は、たとえば無線コア２４０のワークスペースとして使用されるメモリである。
【００３９】
ユーザコアＡＣＰＵ部２８０は、移動端末装置１１０を制御するＯＳ（Ｏｐｅｒａｔｉｎｇ  Ｓｙｓｔｅｍ：オペレーティングシステム）を実行するプロセッサである。たとえば、ユーザコアＡＣＰＵ部２８０は、ユーザによる操作に基づく処理（たとえばウェブ閲覧やアプリケーションの実行）を行う。
【００４０】
ユーザインタフェース２９２は、たとえば、ユーザからの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース２９２は、たとえばユーザコアＡＣＰＵ部２８０によって制御される。
【００４１】
移動端末装置１１０において、無線信号を受信する複数の受信器は、たとえばアンテナ２０１，２０２により実現することができる。また、複数の受信器によって受信された各信号における受信レベルの差分値が所定値以上であるか否かに基づいて基地局の故障を検出する検出部は、たとえばＣＣＰＵ２７０により実現することができる。また、故障が検出された基地局に関するログを記憶する記憶部は、たとえばＳＤＲＡＭ２９１により実現することができる。また、故障が検出された基地局に関するログを送信する送信部は、たとえばアンテナ２０１，２０２、ＲＦＩＣ２２０、デジタル高周波物理処理回路２３０およびＬ１ベースバンド部２５０により実現することができる。
【００４２】
（実施の形態にかかる移動端末装置に適用可能な各レイヤ）
図３は、実施の形態にかかる移動端末装置に適用可能な各レイヤの一例を示す図である。実施の形態にかかる移動端末装置１１０による通信に関する処理には、たとえば図３に示す各レイヤを適用することができる。図３に示すＲＲＣレイヤ３０１は、レイヤ３（Ｌ３）に含まれるＲＲＣのレイヤである。図３に示すＰＤＣＰレイヤ３０２は、レイヤ２（Ｌ２）に含まれるＰＤＣＰ（Ｐａｃｋｅｔ  Ｄａｔａ  Ｃｏｎｖｅｒｇｅｎｃｅ  Ｐｒｏｔｏｃｏｌ）のレイヤである。
【００４３】
図３に示すＲＬＣレイヤ３０３は、レイヤ２（Ｌ２）に含まれるＲＬＣ（Ｒａｄｉｏ  Ｌｉｎｋ  Ｃｏｎｔｒｏｌ：無線リンク制御）のレイヤである。図３に示すＭＡＣレイヤ３０４は、レイヤ２（Ｌ２）に含まれるＭＡＣ（Ｍｅｄｉａ  Ａｃｃｅｓｓ  Ｃｏｎｔｒｏｌ：メディアアクセス制御）のレイヤである。
【００４４】
図３に示す無線ソフトウェア３０５は、レイヤ１（Ｌ１）に含まれ、ＣＣＰＵ２７０によって実行される無線ソフトウェアである。無線ファームウェア３０６は、たとえばＬ１ベースバンド部２５０の無線制御ファームウェア群２５５に対応する各ファームウェアである。
【００４５】
図３に示すように、移動端末装置１１０においては、ＲＲＣレイヤ３０１と無線ソフトウェア３０５との間で、レイヤ２の各レイヤを介さずに制御信号やメジャメントの送受信を行うことにより、アンテナ故障セル検出の処理が行われる。制御信号には、たとえば、アンテナ故障セル検出起動指示や、サービングセルやターゲットセルの測定結果を要求する測定結果要求などが含まれる。
【００４６】
（実施の形態にかかる移動端末装置が記憶するセル管理テーブル）
図４は、実施の形態にかかる移動端末装置が記憶するセル管理テーブルの一例を示す図である。図４に示すセル管理テーブル４００は、移動端末装置１１０がセルリセレクション（ハンドオーバ）を行うための情報であり、移動端末装置１１０による測定対象のセルのそれぞれについての測定結果を含む。セル管理テーブル４００は、たとえば図２に示したＳＤＲＡＭ２９１などの移動端末装置１１０のメモリに記憶される。
【００４７】
セル管理テーブル４００は、「サービングセル」と、「ターゲットセル」と、「故障検出」と、を項目として有する。「サービングセル」は、移動端末装置１１０が現在データ通信に使用している、セルリセレクション前のセル（たとえば基地局１２２のバンドＢ１）に関する情報である。「ターゲットセル」は、移動端末装置１１０のセルリセレクション先の候補のセル（たとえば基地局１２１のバンドＡ２）に関する情報である。
【００４８】
「サービングセル」および「ターゲットセル」のそれぞれは、セルＩＤと、ＲＳＲＰ［ｄＢｍ］と、ＲＳＲＱ［ｄＢ］と、を含む。「サービングセル」のセルＩＤは、サービングセルの識別子である。「ターゲットセル」のセルＩＤは、ターゲットセルの識別子である。サービングセルおよびターゲットセルの各識別子は、一例としてはＰＣＩ（Ｐｈｙｓｉｃａｌ  Ｃｅｌｌ  Ｉｄｅｎｔｉｔｙ：物理セルＩＤ）である。ＰＣＩは、たとえば０〜５０３の値をとり得る。
【００４９】
「サービングセル」のＲＳＲＰは、サービングセルの送信アンテナＴｘ＃０，Ｔｘ＃１についての各ＲＳＲＰの測定結果を示す。「サービングセル」のＲＳＲＰは、一例としては−１４１〜−１４４の値をとり得る。「サービングセル」のＲＳＲＱは、サービングセルの送信アンテナＴｘ＃０，Ｔｘ＃１についてのアンテナ合成後のＲＳＲＱの測定結果を示す。「サービングセル」のＲＳＲＱは、一例としては−２０〜−３の値をとり得る。
【００５０】
「ターゲットセル」のＲＳＲＰは、ターゲットセルの送信アンテナＴｘ＃０，Ｔｘ＃１についての各ＲＳＲＰの測定結果を示す。「ターゲットセル」のＲＳＲＰは、一例としては−１４１〜−１４４の値をとり得る。「ターゲットセル」のＲＳＲＱは、ターゲットセルの送信アンテナＴｘ＃０，Ｔｘ＃１についてのアンテナ合成後のＲＳＲＱの測定結果を示す。「ターゲットセル」のＲＳＲＱは、一例としては−２０〜−３の値をとり得る。
【００５１】
「故障検出」は、差分値と、成功回数と、リセレクション状態と、を含む。差分値（Ｔｘ０−Ｔｘ１）は、ターゲットセルの送信アンテナＴｘ＃０，Ｔｘ＃１についての各ＲＳＲＰの差分値（小数点以下切り捨て）を示す。成功回数は、ターゲットセルへのリセレクションの成功回数を示す。たとえば、成功回数は、移動端末装置１１０がターゲットセルへのリセレクションに成功するごとに更新される。
【００５２】
リセレクション状態は、ターゲットセルについてのリセレクションの状態を示し、差分値および成功回数に応じて判定される。たとえば、リセレクション状態は、送信アンテナＴｘ＃０，Ｔｘ＃１についての各ＲＳＲＰの差分値が閾値未満であるか、または成功回数が０でない場合は“正常”に設定される。また、リセレクション状態は、送信アンテナＴｘ＃０，Ｔｘ＃１についての各ＲＳＲＰの差分値が閾値以上であり、かつ成功回数が０である場合に“異常”に設定される。閾値は、一例としては１０［ｄＢ］とすることができる。図４に示す例では、ＰＣＩが２０４のターゲットセル（たとえば基地局１２１のバンドＡ２）について、差分値が閾値以上の１４であり、成功回数が０であるため、リセレクション状態は“異常”に設定されている。
【００５３】
移動端末装置１１０は、サービングセルやターゲットセルについての測定を行う度に、セル管理テーブル４００の「サービングセル」や「ターゲットセル」のＲＳＲＰおよびＲＳＲＱを更新する。また、このとき、移動端末装置１１０は、「サービングセル」や「ターゲットセル」の更新結果に基づいて「故障検出」を更新してもよい。
【００５４】
また、図３に示したＲＲＣレイヤ３０１は、セル管理テーブル４００を参照して移動端末装置１１０のセルリセレクションを行うか否かを判断する。そして、ＲＲＣレイヤ３０１は、移動端末装置１１０のセルリセレクションを行う前に、ＣＣＰＵ２７０に対してセル測定要求を行う。セル測定要求には、測定対象のセルを示す情報が含まれる。
【００５５】
移動端末装置１１０は、ＲＲＣレイヤ３０１からのセル測定要求があると、セル測定要求によって指定された測定対象のセルによってセル管理テーブル４００を更新する。この際に、セル測定要求によって指定された測定対象のうちの、更新前のセル管理テーブル４００に含まれないセルは、セル管理テーブル４００への追加対象となる。また、更新前のセル管理テーブル４００に含まれる各セルのうちの、セル測定要求によって指定された測定対象に含まれないセルは、セル管理テーブル４００からの削除対象となる。
【００５６】
（実施の形態にかかる通信システムにおけるアンテナ故障セル検出起動の処理）
図５は、実施の形態にかかる通信システムにおけるアンテナ故障セル検出起動の処理の一例を示すシーケンス図である。実施の形態にかかる通信システム１００においては、アンテナ故障セル検出起動の処理として、たとえば図５に示す各ステップが実行される。図５においては、アンテナ故障セル検出起動の処理が、移動端末装置１１０のユーザからのアンテナ故障セル検出起動指示によって開始される場合について説明する。
【００５７】
まず、ユーザコアＡＣＰＵ部２８０が、アンテナ故障セル検出処理の起動を指示するアンテナ故障セル検出起動指示を、ユーザインタフェース２９２（図２参照）を介してユーザから受け付ける（ステップＳ５０１）。これにより、ユーザコアＡＣＰＵ部２８０におけるアンテナ故障セル検出の開始モードがオンになる。このとき、ユーザインタフェース２９２によって故障検出画面が表示されるようにしてもよい。
【００５８】
つぎに、ユーザコアＡＣＰＵ部２８０が、アンテナ故障セル検出起動指示をＣＣＰＵ２７０へ出力する（ステップＳ５０２）。これにより、ＣＣＰＵ２７０におけるアンテナ故障セル検出の開始モードがオンになる。
【００５９】
つぎに、ＣＣＰＵ２７０が、アンテナ故障セル検出起動指示をＬ１ベースバンド部２５０へ出力する（ステップＳ５０３）。これにより、Ｌ１ベースバンド部２５０におけるアンテナ故障セル検出の開始モードがオンになり、Ｌ１ベースバンド部２５０は、移動端末装置１１０のサービングセルおよびターゲットセルについてのＲＳＲＰおよびＲＳＲＱの測定を開始する。
【００６０】
また、ＣＣＰＵ２７０が、サービングセルおよびターゲットセルについての測定結果を要求する測定結果要求をＬ１ベースバンド部２５０へ出力する（ステップＳ５０４）。ステップＳ５０４による測定結果要求の出力は、たとえば、ユーザコアＡＣＰＵ部２８０からＣＣＰＵ２７０へアンテナ故障セル検出停止指示が出力されるまで繰り返し行われる。
【００６１】
つぎに、Ｌ１ベースバンド部２５０が、ステップＳ５０３によって開始した移動端末装置１１０のサービングセルおよびターゲットセルについてのＲＳＲＰおよびＲＳＲＱの測定結果をＣＣＰＵ２７０へ出力する（ステップＳ５０５）。ステップＳ５０５による測定結果の出力は、たとえば、ＣＣＰＵ２７０からＬ１ベースバンド部２５０へアンテナ故障セル検出停止指示が出力されるまで繰り返し行われる。
【００６２】
ＣＣＰＵ２７０は、ステップＳ５０５により測定結果が出力されるごとに、測定結果をセル管理テーブルに反映させる。たとえば、ＣＣＰＵ２７０は、図４に示したセル管理テーブル４００における「サービングセル」および「ターゲットセル」のうちの出力された測定結果に対応するセルの各送信アンテナのＲＳＲＰおよびＲＳＲＱを、出力された測定結果に基づいて更新する。また、ＣＣＰＵ２７０は、測定結果に対応するセルが「ターゲットセル」であった場合は、更新した各ＲＳＲＰの差分値を算出し、算出した差分値によって「故障検出」の差分値を更新する。
【００６３】
つぎに、ＣＣＰＵ２７０が、ステップＳ５０５により出力された測定結果に基づく、ユーザへの表示対象の測定結果をユーザコアＡＣＰＵ部２８０へ出力する（ステップＳ５０６）。ユーザへの表示対象の測定結果は、一例としては、図４に示したセル管理テーブル４００とすることができる。または、ユーザへの表示対象の測定結果は、セル管理テーブル４００から所定の項目を抽出した情報であってもよいし、セル管理テーブル４００に所定の情報を付加した情報であってもよい。ステップＳ５０６による測定結果の出力は、たとえば、ステップＳ５０５によりＬ１ベースバンド部２５０からＣＣＰＵ２７０へ測定結果が出力されるごとに行われる。
【００６４】
つぎに、ユーザコアＡＣＰＵ部２８０において、測定結果に基づくデータの表示を要求するデータ表示要求が発生したとする（ステップＳ５０７）。データ表示要求は、たとえばユーザインタフェース２９２に対するユーザ操作によって発生する。または、データ表示要求は周期的に発生するイベントであってもよい。この場合に、データ表示要求の発生周期は、一例としては５００［ｍｓ］とすることができる。
【００６５】
つぎに、ユーザコアＡＣＰＵ部２８０が、ステップＳ５０６によって出力された測定結果に基づくデータをユーザインタフェース２９２によりユーザに表示する（ステップＳ５０８）。なお、ステップＳ５０８による測定結果に基づくデータの表示を行わないようにしてもよい。この場合は、たとえばステップＳ５０６の処理を省いてもよい。
【００６６】
つぎに、ＣＣＰＵ２７０において、セル測定要求が発生したとする（ステップＳ５０９）。セル測定要求は、たとえば、無線網からの制御信号に応じてＲＲＣレイヤ３０１により行われる。無線網は、たとえば、移動端末装置１１０のサービングセルまたはターゲットセルが接続された無線網である。
【００６７】
つぎに、ＣＣＰＵ２７０が、ステップＳ５０５によってＬ１ベースバンド部２５０から取得した測定結果に基づいてセル管理テーブルを更新する（ステップＳ５１０）。ステップＳ５１０において、たとえば、ＣＣＰＵ２７０は、図４に示したセル管理テーブル４００に含まれる各セルを、セル測定要求の対象セルと一致するように更新する。この際、セル管理テーブル４００に含まれていた各セルのうちのセル測定要求の対象セルに含まれていないセルはセル管理テーブル４００からの削除対象となる。この場合に、ＣＣＰＵ２７０は、削除対象となったセルについての情報（たとえば図４に示した差分値、成功回数およびリセレクション状態）を取得しておく。
【００６８】
つぎに、ＣＣＰＵ２７０が、ステップＳ５１０のセル管理テーブルの更新において削除対象となったターゲットセルをアンテナ故障セルとして検出したとする（ステップＳ５１１）。たとえば、ＣＣＰＵ２７０は、削除対象となったターゲットセルについて取得しておいたリセレクション状態が異常であった場合に、削除対象となったターゲットセルをアンテナ故障セルとして検出する。この際に、ＣＣＰＵ２７０は、削除対象となったターゲットセルについて取得しておいた差分値および成功回数に基づいて、差分値が閾値以上であり、かつ成功回数が０であることを確認してもよい。
【００６９】
つぎに、ＣＣＰＵ２７０が、ステップＳ５１１によって検出したアンテナ故障セルを示すアンテナ故障セル検出情報をユーザコアＡＣＰＵ部２８０へ出力する（ステップＳ５１２）。アンテナ故障セル検出情報には、アンテナ故障セル（ターゲットセル）の測定結果やセルリセレクションの成功回数等を示す情報が含まれていてもよい。
【００７０】
つぎに、ユーザコアＡＣＰＵ部２８０が、ステップＳ５１２によって出力されたアンテナ故障セル検出情報をユーザインタフェース２９２によりユーザに表示する（ステップＳ５１３）。これにより、移動端末装置１１０のユーザ（たとえば保守者）は、アンテナ故障セル（ターゲットセル）に関する情報を得ることができる。なお、ステップＳ５１３によるアンテナ故障セル検出情報の表示を行わないようにしてもよい。この場合は、たとえばステップＳ５１２の処理を省いてもよい。また、ＣＣＰＵ２７０は、アンテナ故障セル検出情報を、移動端末装置１１０に装着されたＳＤ（Ｓｅｃｕｒｅ  Ｄｉｇｉｔａｌ）カードなどへ出力してもよい。
【００７１】
また、ＣＣＰＵ２７０が、ステップＳ５１１によって検出したアンテナ故障セル（ターゲットセル）を示す異常検出ログの送信を要求する異常検出ログ送信要求をＬ１ベースバンド部２５０へ出力する（ステップＳ５１４）。異常検出ログは、たとえばセル管理テーブルに基づいて作成される。また、異常検出ログには、アンテナ故障セル（ターゲットセル）の測定結果やセルリセレクションの成功回数等を示す情報が含まれていてもよい。
【００７２】
つぎに、Ｌ１ベースバンド部２５０が、ステップＳ５１４においてＣＣＰＵ２７０から出力された異常検出ログ送信要求に基づく異常検出ログを保守センタ１４０へ送信する（ステップＳ５１５）。たとえば、Ｌ１ベースバンド部２５０は、移動端末装置１１０のサービングセル（たとえば基地局１２２のバンドＢ１）を介して異常検出ログを保守センタ１４０へ送信する。また、Ｌ１ベースバンド部２５０が、ステップＳ５１４によって出力された異常検出ログ送信要求に対する異常検出ログ送信応答をＣＣＰＵ２７０へ出力する（ステップＳ５１６）。また、ＣＣＰＵ２７０は、異常検出ログを、移動端末装置１１０に装着されたＳＤカードなどへ出力してもよい。
【００７３】
図６は、実施の形態にかかる通信システムにおけるアンテナ故障セル検出起動の処理の他の例を示すシーケンス図である。実施の形態にかかる通信システム１００においては、アンテナ故障セル検出起動の処理として、たとえば図６に示す各ステップが実行されてもよい。図６においては、アンテナ故障セル検出起動の処理が、保守センタ１４０からのアンテナ故障セル検出起動指示によって開始される場合について説明する。
【００７４】
まず、保守センタ１４０が、移動端末装置１１０のサービングセル（たとえば基地局１２２のバンドＢ１）を介して、アンテナ故障セル検出処理の起動を指示するアンテナ故障セル検出起動指示を移動端末装置１１０へ送信する（ステップＳ６０１）。ステップＳ６０１によって送信されたアンテナ故障セル検出起動指示は、移動端末装置１１０のＬ１ベースバンド部２５０によって受信される。
【００７５】
つぎに、Ｌ１ベースバンド部２５０が、アンテナ故障セル検出起動指示をＣＣＰＵ２７０へ出力する（ステップＳ６０２）。つぎに、ＣＣＰＵ２７０が、アンテナ故障セル検出起動指示をユーザコアＡＣＰＵ部２８０へ出力する（ステップＳ６０３）。これにより、ユーザコアＡＣＰＵ部２８０におけるアンテナ故障セル検出の開始モードがオンになる。図６に示すステップＳ６０４〜Ｓ６１８は、図５に示したステップＳ５０２〜Ｓ５１６と同様である。
【００７６】
このように、アンテナ故障セル検出の処理は、保守センタ１４０から起動することも可能である。この場合は、アンテナ故障セル検出起動指示が、Ｌ１ベースバンド部２５０、ＣＣＰＵ２７０を経由してユーザコアＡＣＰＵ部２８０へ入力される。
【００７７】
（実施の形態にかかる通信システムにおけるアンテナ故障セル検出停止の処理）
図７は、実施の形態にかかる通信システムにおけるアンテナ故障セル検出停止の処理の一例を示すシーケンス図である。実施の形態にかかる通信システム１００においては、アンテナ故障セル検出停止の処理として、たとえば図７に示す各ステップが実行される。図７においては、アンテナ故障セル検出停止の処理が、移動端末装置１１０のユーザからのアンテナ故障セル検出停止指示によって開始される場合について説明する。
【００７８】
図７に示す例では、Ｌ１ベースバンド部２５０およびＣＣＰＵ２７０におけるアンテナ故障セル検出の開始モードがオンになっているとする。この場合は、Ｌ１ベースバンド部２５０からＣＣＰＵ２７０へ、移動端末装置１１０のサービングセルおよびターゲットセルについての測定結果が出力されている（ステップＳ７０１）。また、ＣＣＰＵ２７０からユーザコアＡＣＰＵ部２８０へ、ステップＳ７０１により出力された測定結果に基づくユーザへの表示対象の測定結果が出力されている（ステップＳ７０２）。ステップＳ７０１，Ｓ７０２は、図５に示したステップＳ５０５，Ｓ５０６に対応する。
【００７９】
この状態において、ユーザコアＡＣＰＵ部２８０が、アンテナ故障セル検出処理の停止を指示するアンテナ故障セル検出停止指示を、ユーザインタフェース２９２（図２参照）を介してユーザから受け付けたとする（ステップＳ７０３）。これにより、ユーザコアＡＣＰＵ部２８０におけるアンテナ故障セル検出の開始モードがオフになる。
【００８０】
つぎに、ユーザコアＡＣＰＵ部２８０が、アンテナ故障セル検出停止指示をＣＣＰＵ２７０へ出力する（ステップＳ７０４）。これにより、ＣＣＰＵ２７０におけるアンテナ故障セル検出の開始モードがオフになる。
【００８１】
つぎに、ＣＣＰＵ２７０が、アンテナ故障セル検出停止指示をＬ１ベースバンド部２５０へ出力する（ステップＳ７０５）。これにより、Ｌ１ベースバンド部２５０におけるアンテナ故障セル検出の開始モードがオフになり、Ｌ１ベースバンド部２５０は、移動端末装置１１０のサービングセルおよびターゲットセルについての測定を停止する。
【００８２】
つぎに、Ｌ１ベースバンド部２５０が、アンテナ故障セル検出停止指示に対するアンテナ故障セル検出停止応答をＣＣＰＵ２７０へ出力する（ステップＳ７０６）。つぎに、ＣＣＰＵ２７０が、アンテナ故障セル検出停止応答をユーザコアＡＣＰＵ部２８０へ出力する（ステップＳ７０７）。つぎに、ユーザコアＡＣＰＵ部２８０が、たとえば図５のステップＳ５０８，Ｓ５１３による各情報の表示を停止する（ステップＳ７０８）。
【００８３】
図８は、実施の形態にかかる通信システムにおけるアンテナ故障セル検出停止の処理の他の例を示すシーケンス図である。実施の形態にかかる通信システム１００においては、アンテナ故障セル検出停止の処理として、たとえば図８に示す各ステップが実行されてもよい。図８においては、アンテナ故障セル検出停止の処理が、保守センタ１４０からのアンテナ故障セル検出停止指示によって開始される場合について説明する。
【００８４】
図８に示す例では、図７に示した例と同様に、Ｌ１ベースバンド部２５０およびＣＣＰＵ２７０におけるアンテナ故障セル検出の開始モードがオンになっているとする。この場合は、Ｌ１ベースバンド部２５０からＣＣＰＵ２７０へ、移動端末装置１１０のサービングセルおよびターゲットセルについての測定結果が出力されている（ステップＳ８０１）。また、ＣＣＰＵ２７０からユーザコアＡＣＰＵ部２８０へ、ステップＳ８０１により出力された測定結果に基づくユーザへの表示対象の測定結果が出力されている（ステップＳ８０２）。
【００８５】
この状態において、保守センタ１４０が、移動端末装置１１０のサービングセルを介して、アンテナ故障セル検出処理の停止を指示するアンテナ故障セル検出停止指示を移動端末装置１１０へ送信したとする（ステップＳ８０３）。ステップＳ８０３によって送信されたアンテナ故障セル検出停止指示は、移動端末装置１１０のＬ１ベースバンド部２５０によって受信される。
【００８６】
つぎに、Ｌ１ベースバンド部２５０が、アンテナ故障セル検出停止指示をＣＣＰＵ２７０へ出力する（ステップＳ８０４）。つぎに、ＣＣＰＵ２７０が、アンテナ故障セル検出停止指示をユーザコアＡＣＰＵ部２８０へ出力する（ステップＳ８０５）。これにより、ユーザコアＡＣＰＵ部２８０におけるアンテナ故障セル検出の開始モードがオフになる。図８に示すステップＳ８０６〜Ｓ８１０は、図７に示したステップＳ７０４〜Ｓ７０８と同様である。
【００８７】
このように、アンテナ故障セル検出の処理は、保守センタ１４０から停止することも可能である。この場合は、アンテナ故障セル検出停止指示が、Ｌ１ベースバンド部２５０、ＣＣＰＵ２７０を経由してユーザコアＡＣＰＵ部２８０へ入力される。
【００８８】
（実施の形態にかかる移動端末装置のＬ１ベースバンド部による処理）
図９は、実施の形態にかかる移動端末装置のＬ１ベースバンド部による処理の一例を示すフローチャートである。実施の形態にかかる移動端末装置１１０のＬ１ベースバンド部２５０は、たとえば図９に示す各ステップを実行する。
【００８９】
まず、Ｌ１ベースバンド部２５０は、Ｌ１ベースバンド部２５０におけるアンテナ故障セル検出の開始モードがオンであるか否かを判断する（ステップＳ９０１）。Ｌ１ベースバンド部２５０におけるアンテナ故障セル検出の開始モードは、たとえば、ＣＣＰＵ２７０からＬ１ベースバンド部２５０へアンテナ故障セル検出起動指示が出力されるとオンになる。また、Ｌ１ベースバンド部２５０におけるアンテナ故障セル検出の開始モードは、たとえば、ＣＣＰＵ２７０からＬ１ベースバンド部２５０へアンテナ故障セル検出停止指示が出力されるとオフになる。
【００９０】
ステップＳ９０１において、開始モードがオンでない場合（ステップＳ９０１：Ｎｏ）は、Ｌ１ベースバンド部２５０は、一連の処理を終了する。開始モードがオンである場合（ステップＳ９０１：Ｙｅｓ）は、Ｌ１ベースバンド部２５０は、移動端末装置１１０のサービングセルおよびターゲットセルの測定を行う（ステップＳ９０２）。たとえば、Ｌ１ベースバンド部２５０は、移動端末装置１１０のサービングセルおよびターゲットセルについてのＲＳＲＰおよびＲＳＲＱの測定を行う。
【００９１】
ステップＳ９０２における測定対象には、たとえば移動端末装置１１０のターゲットセル（たとえば基地局１２１）の送信アンテナＴｘ＃０，Ｔｘ＃１についての各ＲＳＲＰが含まれる。送信アンテナＴｘ＃０，Ｔｘ＃１についての各ＲＳＲＰは、たとえば移動端末装置１１０の複数の受信器（たとえば図２に示したアンテナ２０１，２０２）によって受信された各信号に基づいて測定することができる。
【００９２】
つぎに、Ｌ１ベースバンド部２５０は、サービングセルおよびターゲットセルについての測定結果を要求する測定結果要求がＣＣＰＵ２７０からあったか否かを判断する（ステップＳ９０３）。測定結果要求がなかった場合（ステップＳ９０３：Ｎｏ）は、Ｌ１ベースバンド部２５０は、ステップＳ９０５へ移行する。測定結果要求があった場合（ステップＳ９０３：Ｙｅｓ）は、Ｌ１ベースバンド部２５０は、ステップＳ９０２による測定結果をＣＣＰＵ２７０へ出力する（ステップＳ９０４）。
【００９３】
つぎに、Ｌ１ベースバンド部２５０は、異常検出ログの送信を要求する異常検出ログ送信要求がＣＣＰＵ２７０からあったか否かを判断する（ステップＳ９０５）。異常検出ログ送信要求がなかった場合（ステップＳ９０５：Ｎｏ）は、Ｌ１ベースバンド部２５０は、一連の処理を終了する。
【００９４】
ステップＳ９０５において、異常検出ログ送信要求があった場合（ステップＳ９０５：Ｙｅｓ）は、Ｌ１ベースバンド部２５０は、異常検出ログ送信要求に基づき異常検出ログを保守センタ１４０へ送信する（ステップＳ９０６）。たとえば、Ｌ１ベースバンド部２５０は、移動端末装置１１０のサービングセル（たとえば基地局１２２のバンドＢ１）を介して異常検出ログを保守センタ１４０へ送信する。つぎに、Ｌ１ベースバンド部２５０は、異常検出ログ送信要求に対する異常検出ログ送信応答をＣＣＰＵ２７０へ出力し（ステップＳ９０７）、一連の処理を終了する。
【００９５】
（実施の形態にかかる移動端末装置のＣＣＰＵによる処理）
図１０および図１１は、実施の形態にかかる移動端末装置のＣＣＰＵによる第１の処理の一例を示すフローチャートである。ＣＣＰＵ２７０は、第１の処理として、たとえば図１０，図１１に示す各ステップを実行する。
【００９６】
まず、ＣＣＰＵ２７０は、ＣＣＰＵ２７０におけるアンテナ故障セル検出の開始モードがオンであるか否かを判断する（ステップＳ１００１）。ＣＣＰＵ２７０におけるアンテナ故障セル検出の開始モードは、たとえば、ユーザコアＡＣＰＵ部２８０からＣＣＰＵ２７０へアンテナ故障セル検出起動指示が出力されるとオンになる。また、ＣＣＰＵ２７０におけるアンテナ故障セル検出の開始モードは、ユーザコアＡＣＰＵ部２８０からＣＣＰＵ２７０へアンテナ故障セル検出停止指示が出力されるとオフになる。
【００９７】
ステップＳ１００１において、開始モードがオンでない場合（ステップＳ１００１：Ｎｏ）は、ＣＣＰＵ２７０は、一連の処理を終了する。開始モードがオンである場合（ステップＳ１００１：Ｙｅｓ）は、ＣＣＰＵ２７０は、移動端末装置１１０のサービングセルおよびターゲットセルについての測定結果の出力を要求する測定結果要求をＬ１ベースバンド部２５０へ出力する（ステップＳ１００２）。移動端末装置１１０のサービングセルおよびターゲットセルは、たとえば、ＲＲＣレイヤ３０１がＣＣＰＵ２７０に指定したサービングセルおよびターゲットセルである。
【００９８】
つぎに、ＣＣＰＵ２７０は、移動端末装置１１０のサービングセルおよびターゲットセルについての測定結果をＬ１ベースバンド部２５０から取得する（ステップＳ１００３）。移動端末装置１１０のサービングセルおよびターゲットセルについての測定結果は、たとえばＬ１ベースバンド部２５０からＣＣＰＵ２７０への割り込み通知によってＣＣＰＵ２７０へ出力される。ステップＳ１００３によって取得される測定結果には、たとえば、移動端末装置１１０のターゲットセル（たとえば基地局１２１）の送信アンテナＴｘ＃０，Ｔｘ＃１についての各ＲＳＲＰが含まれる。
【００９９】
つぎに、ＣＣＰＵ２７０は、ステップＳ１００３によって取得した測定結果に基づいて、ターゲットセルの送信アンテナＴｘ＃０，Ｔｘ＃１についての各ＲＳＲＰの差分値（絶対値）が閾値以上であるか否かを判断する（ステップＳ１００４）。たとえば、ステップＳ１００３によって取得される測定結果には、移動端末装置１１０の複数の受信器（たとえば図２に示したアンテナ２０１，２０２）によって受信された各信号におけるＲＳＲＰが含まれる。移動端末装置１１０は、たとえば、この各信号におけるＲＳＲＰの差分値が閾値以上であるか否かを判断することによってステップＳ１００４の判断を行う。
【０１００】
ステップＳ１００４において、差分値が閾値未満である場合（ステップＳ１００４：Ｎｏ）は、ターゲットセルがアンテナ故障セルの候補でないと判断することができる。この場合は、ＣＣＰＵ２７０は、一連の処理を終了する。差分値が閾値以上である場合（ステップＳ１００４：Ｙｅｓ）は、ＣＣＰＵ２７０は、移動端末装置１１０のターゲットセルへのリセレクションの成功回数が０であるか否かを判断する（ステップＳ１００５）。
【０１０１】
ステップＳ１００５において、成功回数が０でない場合（ステップＳ１００５：Ｎｏ）は、過去にターゲットセルへのリセレクションが成功しており、ターゲットセルがアンテナ故障セルの候補でないと判断することができる。この場合は、ＣＣＰＵ２７０は、一連の処理を終了する。
【０１０２】
ステップＳ１００５において、成功回数が０である場合（ステップＳ１００５：Ｙｅｓ）は、ターゲットセルがアンテナ故障セルの候補であると判断することができる。この場合は、ＣＣＰＵ２７０は、アンテナ故障セルの候補であると判断したターゲットセルについてセル管理テーブルを更新する（ステップＳ１００６）。ステップＳ１００６において、たとえば、ＣＣＰＵ２７０は、図４に示したセル管理テーブル４００の「故障検出」のうちのアンテナ故障セルの候補であると判断したターゲットセルに対応するリセレクション状態を“異常”に設定する。
【０１０３】
つぎに、ＣＣＰＵ２７０は、ＲＲＣレイヤ３０１からのセル測定要求があったか否かを判断する（ステップＳ１００７）。セル測定要求は、たとえば移動端末装置１１０のサービングセルやターゲットセルについての測定要求である。たとえば、セル測定要求は、移動端末装置１１０において、サービングセルの受信電力（ＲＳＲＰやＲＳＲＱ）がターゲットセルの受信電力より低くなった場合に、セルリセレクション指示の前に無線網からの制御信号に応じてＲＲＣレイヤ３０１により行われる。無線網は、たとえば、移動端末装置１１０のサービングセルまたはターゲットセルが接続された無線網である。
【０１０４】
ステップＳ１００７において、セル測定要求がなかった場合（ステップＳ１００７：Ｎｏ）は、ＣＣＰＵ２７０は、一連の処理を終了する。セル測定要求があった場合（ステップＳ１００７：Ｙｅｓ）は、ＣＣＰＵ２７０は、セル管理テーブルに含まれる各セルが、セル測定要求の対象セルとなるようにセル管理テーブルを更新する（ステップＳ１００８）。この際、セル管理テーブルに含まれる各セルのうちのセル測定要求の対象セルに含まれないセルは削除対象となる。
【０１０５】
つぎに、ＣＣＰＵ２７０は、ステップＳ１００８による更新によってセル管理テーブルからの削除対象となったターゲットセルがあるか否かを判断する（ステップＳ１００９）。削除対象となったターゲットセルがない場合（ステップＳ１００９：Ｎｏ）は、ＣＣＰＵ２７０は、一連の処理を終了する。
【０１０６】
ステップＳ１００９において、削除対象となったターゲットセルがある場合（ステップＳ１００９：Ｙｅｓ）は、ＣＣＰＵ２７０は、セル管理テーブルにおいて、削除対象となったターゲットセルのリセレクション状態が“異常”であったか否かを判断する（ステップＳ１０１０）。リセレクション状態が“異常”でない場合（ステップＳ１０１０：Ｎｏ）は、削除対象となったターゲットセルがアンテナ故障セルの候補でないと判断することができる。この場合は、ＣＣＰＵ２７０は、一連の処理を終了する。
【０１０７】
ステップＳ１０１０において、リセレクション状態が“異常”である場合（ステップＳ１０１０：Ｙｅｓ）は、ＣＣＰＵ２７０は、ステップＳ１０１１へ移行する。すなわち、ＣＣＰＵ２７０は、削除対象となったターゲットセルのセル管理テーブルにおける各ＲＳＲＰの差分値が閾値以上であるか否かを判断する（ステップＳ１０１１）。
【０１０８】
ステップＳ１０１１において、差分値が閾値未満である場合（ステップＳ１０１１：Ｎｏ）は、削除対象となったターゲットセルがアンテナ故障セルの候補でないと判断することができる。この場合は、ＣＣＰＵ２７０は、一連の処理を終了する。
【０１０９】
ステップＳ１０１１において、差分値が閾値以上である場合（ステップＳ１０１１：Ｙｅｓ）は、ＣＣＰＵ２７０は、削除対象となったターゲットセルのセル管理テーブルにおけるリセレクションの成功回数が０であるか否かを判断する（ステップＳ１０１２）。
【０１１０】
ステップＳ１０１２において、成功回数が０でない場合（ステップＳ１０１２：Ｎｏ）は、削除対象となったターゲットセルがアンテナ故障セルの候補でないと判断することができる。この場合は、ＣＣＰＵ２７０は、一連の処理を終了する。成功回数が０である場合（ステップＳ１０１２：Ｙｅｓ）は、ＣＣＰＵ２７０は、セル測定要求の対象セル（アンテナ故障セル）を示すアンテナ故障セル検出情報をユーザコアＡＣＰＵ部２８０へ出力する（ステップＳ１０１３）。アンテナ故障セル検出情報には、アンテナ故障セルの測定結果やセルリセレクションの成功回数等を示す情報が含まれていてもよい。
【０１１１】
また、ＣＣＰＵ２７０は、セル測定要求の対象セル（アンテナ故障セル）を示す異常検出ログの送信を要求する異常検出ログ送信要求をＬ１ベースバンド部２５０へ出力し（ステップＳ１０１４）、一連の処理を終了する。異常検出ログには、アンテナ故障セルの測定結果やセルリセレクションの成功回数等を示す情報が含まれていてもよい。
【０１１２】
ステップＳ１０１１，Ｓ１０１２により、削除対象となったターゲットセルがアンテナ故障セルであるか否かを再度確認することができる。ただし、ステップＳ１０１１，Ｓ１０１２を省いた処理とすることも可能である。
【０１１３】
図１２は、実施の形態にかかる移動端末装置のＣＣＰＵによる第２の処理の一例を示すフローチャートである。ＣＣＰＵ２７０は、図１０，図１１に示した第１の処理とともに、第２の処理として、たとえば図１２に示す各ステップを実行する。
【０１１４】
まず、ＣＣＰＵ２７０は、ＣＣＰＵ２７０におけるアンテナ故障セル検出の開始モードがオンであるか否かを判断する（ステップＳ１２０１）。開始モードがオンでない場合（ステップＳ１２０１：Ｎｏ）は、ＣＣＰＵ２７０は、一連の処理を終了する。開始モードがオンである場合（ステップＳ１２０１：Ｙｅｓ）は、ＣＣＰＵ２７０は、Ｌ１ベースバンド部２５０からサービングセルやターゲットセルについての測定結果が出力されたか否かを判断する（ステップＳ１２０２）。
【０１１５】
ステップＳ１２０２において、測定結果が出力されていない場合（ステップＳ１２０２：Ｎｏ）は、ＣＣＰＵ２７０は、一連の処理を終了する。測定結果が出力された場合（ステップＳ１２０２：Ｙｅｓ）は、ＣＣＰＵ２７０は、セル管理テーブルに基づくユーザへの表示対象の測定結果をユーザコアＡＣＰＵ部２８０へ出力し（ステップＳ１２０３）、一連の処理を終了する。ターゲットセルについての測定結果には、たとえば、ターゲットセルの各送信アンテナのＲＳＲＰとその差分値や、ターゲットセルへのリセレクションの成功回数等が含まれる。
【０１１６】
（実施の形態にかかる移動端末装置のユーザコアＡＣＰＵ部による処理）
図１３は、実施の形態にかかる移動端末装置のユーザコアＡＣＰＵ部による処理の一例を示すフローチャートである。ユーザコアＡＣＰＵ部２８０は、たとえば図１３に示す各ステップを実行する。
【０１１７】
まず、ユーザコアＡＣＰＵ部２８０は、ユーザコアＡＣＰＵ部２８０におけるアンテナ故障セル検出の開始モードがオンか否かを判断する（ステップＳ１３０１）。ユーザコアＡＣＰＵ部２８０におけるアンテナ故障セル検出の開始モードは、たとえば、ユーザコアＡＣＰＵ部２８０がユーザまたは保守センタ１４０からのアンテナ故障セル検出起動指示を受け付けるとオンになる。また、ユーザコアＡＣＰＵ部２８０におけるアンテナ故障セル検出の開始モードは、たとえば、ユーザコアＡＣＰＵ部２８０がユーザまたは保守センタ１４０からのアンテナ故障セル検出停止指示を受け付けるとオフになる。
【０１１８】
ステップＳ１３０１において、開始モードがオンでない場合（ステップＳ１３０１：Ｎｏ）は、ユーザコアＡＣＰＵ部２８０は、一連の処理を終了する。開始モードがオンである場合（ステップＳ１３０１：Ｙｅｓ）は、ＣＣＰＵ２７０からサービングセルやターゲットセルについての測定結果が出力されたか否かを判断する（ステップＳ１３０２）。
【０１１９】
ステップＳ１３０２において、測定結果が出力されていない場合（ステップＳ１３０２：Ｎｏ）は、ユーザコアＡＣＰＵ部２８０は、一連の処理を終了する。測定結果が出力された場合（ステップＳ１３０２：Ｙｅｓ）は、ユーザコアＡＣＰＵ部２８０は、出力された測定結果を画面表示し（ステップＳ１３０３）、一連の処理を終了する。ステップＳ１３０３によって画面表示されるターゲットセルについての測定結果には、たとえば、ターゲットセルの各送信アンテナのＲＳＲＰとその差分値や、ターゲットセルへのリセレクションの成功回数等が含まれる。
【０１２０】
また、ユーザコアＡＣＰＵ部２８０は、図５，図６に示したように、データ表示要求が発生した場合に、ＣＣＰＵ２７０から出力された測定結果を画面表示するようにしてもよい。また、ユーザコアＡＣＰＵ部２８０は、図５，図６に示したように、ＣＣＰＵ２７０から出力されたアンテナ故障セル検出情報を画面表示するようにしてもよい。
【０１２１】
（実施の形態にかかる移動端末装置が送信する異常検出ログ）
図１４は、実施の形態にかかる移動端末装置が送信する異常検出ログの一例を示す図である。移動端末装置１１０は、たとえば図５に示したステップＳ５１５や図６に示したステップＳ６１７において、図１４に示す異常検出ログ１４００を保守センタ１４０へ送信する。異常検出ログ１４００は、たとえば図４に示したセル管理テーブル４００に基づいて作成される。
【０１２２】
異常検出ログ１４００の「００：００：００」は、たとえば異常検出ログ１４００の送信時の時刻（ｔｉｍｅ）を示す。または、異常検出ログ１４００の「００：００：００」は、セル管理テーブル４００の最終更新時の時刻（ｔｉｍｅ）を示す情報であってもよい。異常検出ログ１４００の「ＬＴＥ」は、サービングセルのＲＡＴ（Ｒａｄｉｏ  Ａｃｃｅｓｓ  Ｔｅｃｈｎｏｌｏｇｙ：無線アクセステクノロジ）を示す。
【０１２３】
異常検出ログ１４００の「２１４７．２」は、移動端末装置１１０のサービングセルの周波数を示す。異常検出ログ１４００の「２０１」は、移動端末装置１１０のサービングセルのＰＣＩを示す。異常検出ログ１４００の「−８３．５」、「−８２．６」および「−８０．６」は、それぞれ移動端末装置１１０のサービングセルの各送信アンテナのＲＳＲＰおよびＲＳＲＱを示す。
【０１２４】
異常検出ログ１４００の「０」、「５」および「０」は、移動端末装置１１０のサービングセルについての、各送信アンテナのＲＳＲＰの差分値（小数点以下切り捨て）、リセレクションの成功回数およびリセレクション状態を示す。
【０１２５】
異常検出ログ１４００の「２０４」は、アンテナ故障セルとして検出されたターゲットセルのＰＣＩを示す。異常検出ログ１４００の「−１０３．６」、「−８９．３」および「−８７．４」は、アンテナ故障セルとして検出されたターゲットセルの各送信アンテナのＲＳＲＰおよびＲＳＲＱを示す。
【０１２６】
異常検出ログ１４００の「１４」、「０」および「１」は、移動端末装置１１０のサービングセルについての、各送信アンテナのＲＳＲＰの差分値（小数点以下切り捨て）、リセレクションの成功回数およびリセレクション状態を示す。
【０１２７】
移動端末装置１１０が異常検出ログ１４００を保守センタ１４０へ送信することにより、保守センタ１４０において、ＰＣＩが「２０４」のセルがアンテナ故障セルであることを把握することができる。また、保守センタ１４０において、このアンテナ故障セルの各送信アンテナのＲＳＲＰおよびＲＳＲＱの最新の値はそれぞれ「−１０３．６」、「−８９．３」および「−８７．４」であったことを把握することができる。
【０１２８】
図１４に示したように、移動端末装置１１０は、セル管理テーブル４００などの各セルの蓄積情報からアンテナ故障セルとして検出したセルに関する情報を抽出し、抽出した情報を異常検出ログ１４００として保守センタ１４０へ自動送信する。保守センタ１４０においては、たとえばモニタに異常検出ログ１４００が画面表示され、通信システム１００の保守者がアンテナ故障セルに関する情報を把握することができる。
【０１２９】
このように、実施の形態にかかる移動端末装置１１０によれば、複数の受信器によって受信された各信号における受信レベルの差分値が所定値以上であるか否かに基づいて、基地局１２１の故障を検出することができる。そして、故障を検出した基地局１２１に関するログを記憶しておき、該セル管理テーブルを無線網からの制御信号に基づき更新する際に、該セル管理テーブルからの削除対象となったセルに対応する基地局１２１に関するログを送信することができる。これにより、ログの送信による移動端末装置１１０の消費電力の削減を図りつつ、移動端末装置１１０が送信するログを充実させることができる。
【０１３０】
以上説明したように、移動端末装置によれば、ログの送信による移動端末の消費電力の削減を図りつつ、送信対象のログを充実させることができる。
【０１３１】
たとえば、基地局の送信アンテナには通常、取り替え時期が設定されるが、取り替え時期より先に基地局の送信アンテナが摩耗すると、その摩耗を検出することは困難である。基地局の送信アンテナが摩耗して故障した場合は、移動端末側の要因と判定されるケースも多く、その調査に多大なコストがかかる場合もある。
【０１３２】
また、移動端末は、ターゲットセルの方がサービングセルより受信レベルが高くなっても、ターゲットセルの受信レベルが低下している場合は異周波数セルリセレクションを行わない。このため、移動端末は受信レベルが低いサービングセルから移行できないままになる。したがって、ターゲットセルを測定するため指示（Ｉｎｔｒａ  Ｂａｎｄ／Ｉｎｔｅｒ  Ｆｒｅｑ  Ｍｅａｓｕｒｅｍｅｎｔ）が出力されず、移動端末の接続が維持できなくなって圏外となり、通信中の接続維持率が低下する場合がある。
【０１３３】
また、アンテナ故障セルを検出するために、通信エリアの接続維持率を直接検出しようとすると、通信エリアの各地点で無線信号の通信品質を監視する装置とともに、それぞれの通信品質データを収集するための手段を要する。また、劣化したセルの受信レベル情報、システムリセット情報、通信品質データなどの膨大な異常検出ログを移動端末から保守センタへ送信すると、異常検出ログの送信に長い時間と大きな送信電力を要する。また、膨大な異常検出ログを保守センタで解析するためにも長い時間を要し、手間がかかる。
【０１３４】
これに対して、上述した実施の形態にかかる移動端末装置１１０によれば、移動端末装置１１０の複数の受信器によって受信された各信号における受信レベルの差分値が所定値以上であるか否かに基づいて基地局の故障を検出することができる。これにより、基地局の送信アンテナの磨耗等による故障を検出することができる。また、移動端末装置１１０において定期的に実行される周辺セルの測定処理における測定結果を利用して基地局の故障を検出することが可能になる。なお、この基地局の故障があったとしても、少なくとも移動端末装置１１０はサービングセルには無線アクセスができているものとする。
【０１３５】
また、移動端末装置１１０は、上述した差分値が所定値以上であるか否かに加えて、対象の基地局へのセルリセレクション（ハンドオーバ）の成功回数も参照して該基地局の故障を検出する。たとえば、移動端末装置１１０は、上述した差分値が所定値以上であっても、対象の基地局へのセルリセレクションの成功回数がゼロでない場合は基地局が故障していると判断しない。これにより、基地局の故障を精度よく検出することができる。
【０１３６】
または、移動端末装置１１０は、上述した差分値が所定値以上であるか否かに加えて、対象の基地局へのセルリセレクションの失敗回数も参照して該基地局の故障を検出してもよい。たとえば、移動端末装置１１０は、上述した差分値が所定値以上であっても、対象の基地局へのセルリセレクションの失敗回数がゼロである場合は基地局が故障していると判断しない。これにより、基地局の故障を精度よく検出することができる。
【０１３７】
また、移動端末装置１１０は、無線網からの制御信号（たとえばセル測定要求）を受けて移動端末装置１１０が保持するセル管理テーブルを更新する際に、削除対象となったセルに対応する、故障と判断した基地局に関する異常検出ログを送信する。セル管理テーブルの更新は、たとえば、移動端末装置１１０の移動に伴う、周辺セル測定の対象となるセルが列挙されているセル管理テーブル４００（周辺セルリスト）の更新である。
【０１３８】
すなわち、移動端末装置１１０は、アンテナ故障セルとして検出した基地局に関する異常検出ログを、該セルがセル管理テーブルの更新により削除対象となるまで送信しないようにする。これにより、異常検出ログの送信までの間に繰り返し実行されるセル測定の結果を蓄積することができるため、送信する異常検出ログの内容を充実させることが可能になる。
【０１３９】
たとえば、移動端末装置１１０は、アンテナ故障セルを検出してから異常検出ログを送信するまでの期間における該アンテナ故障セルの無線品質の測定結果のうちの最新の測定結果を含む異常検出ログを送信することが可能になる（たとえば図１４参照）。これにより、保守センタ１４０において、アンテナ故障セルが検出された後における該アンテナ故障セルの状態を分析することが可能になる。
【０１４０】
または、移動端末装置１１０は、アンテナ故障セルを検出してから異常検出ログを送信するまでの期間における該アンテナ故障セルの無線品質の測定結果の平均値を算出し、算出結果を含む異常検出ログを送信してもよい。これにより、保守センタ１４０において、アンテナ故障セルが検出された後における該アンテナ故障セルの状態を分析することが可能になる。
【０１４１】
または、移動端末装置１１０は、アンテナ故障セルを検出してから異常検出ログを送信するまでの期間における該アンテナ故障セルの無線品質の周期的な測定結果の履歴を蓄積し、蓄積結果を含む異常検出ログを送信してもよい。これにより、アンテナ故障セルが検出された後の無線品質の変化を分析することが可能になる。
【０１４２】
このように、通信システム１００によれば、アンテナ故障セルとして検出した基地局に関する異常検出ログを、該セルがセル管理テーブルの更新により削除対象となるまで送信しないようにすることで、送信する異常検出ログの内容を充実させることが可能になる。このため、保守センタ１４０における該アンテナ故障セルの状態の分析が容易になる。
【０１４３】
また、アンテナ故障セルとして検出した基地局に関する異常検出ログを、該セルがセル管理テーブルの更新により削除対象となるまで送信しないようにすることで、異常検出ログの送信機会を限定することができる。このため、たとえばアンテナ故障セルを検出するたびに異常検出ログを送信する場合に比べて、異常検出ログの送信による移動端末装置１１０の消費電力を抑えることができる。また、異常検出ログの送信による通信システム１００のスループットへの影響を抑えることができる。
【０１４４】
また、アンテナ故障セルとして検出した基地局に関する異常検出ログを抽出して送信することで、異常検出ログのデータサイズを小さくすることができる。このため、異常検出ログの送信による移動端末装置１１０の消費電力を抑えることができる。また、異常検出ログの送信による通信システム１００のスループットへの影響を抑えることができる。
【０１４５】
また、上述したアンテナ故障セルの検出は、たとえば移動端末装置１１０のＣＣＰＵ２７０およびＬ１ベースバンド部２５０のソフトウェアの構成変更によって実現可能なシステムである。また、移動端末装置１１０は、たとえばスマートフォン等の汎用的な端末によって実現可能である。このため、上述したアンテナ故障セルの検出を低コストで実施することが可能である。
【０１４６】
上述した実施の形態に関し、さらに以下の付記を開示する。
【０１４７】
（付記１）基地局からの無線信号を受信する複数の受信器と、
前記複数の受信器によって受信された各信号における受信レベルの差分値が所定値以上であるか否かに基づいて前記基地局の故障を検出する検出部と、
前記故障が検出された基地局に関するログを記憶する記憶部と、
自装置による無線品質の測定対象のセルを示すセル管理テーブルを無線網からの制御信号に基づき更新する際に、前記セル管理テーブルからの削除対象となったセルに対応する前記故障が検出された基地局に関するログを送信する送信部と、
を備えることを特徴とする移動端末装置。
【０１４８】
（付記２）前記検出部は、前記受信レベルの差分値が前記所定値以上であるか否かと、前記基地局へのセルリセレクションの成功回数または失敗回数と、に基づいて前記基地局の故障を検出することを特徴とする付記１に記載の移動端末装置。
【０１４９】
（付記３）前記送信部は、前記故障が検出されてから前記ログを送信するまでの期間における、前記故障が検出された基地局の無線品質の測定結果を含む前記ログを送信することを特徴とする付記１または２に記載の移動端末装置。
【０１５０】
（付記４）前記送信部は、前記故障が検出されてから前記ログを送信するまでの期間における、前記故障が検出された基地局の無線品質の周期的な測定結果のうちの最新の測定結果を含む前記ログを送信することを特徴とする付記３に記載の移動端末装置。
【０１５１】
（付記５）前記送信部は、前記故障が検出されてから前記ログを送信するまでの期間における、前記故障が検出された基地局の無線品質の周期的な測定結果の平均値を含む前記ログを送信することを特徴とする付記３に記載の移動端末装置。
【０１５２】
（付記６）前記送信部は、前記故障が検出されてから前記ログを送信するまでの期間における、前記故障が検出された基地局の無線品質の周期的な測定結果の履歴を示す情報を含む前記ログを送信することを特徴とする付記３に記載の移動端末装置。
【符号の説明】
【０１５３】
１００  通信システム
１０１〜１０３  位置
１１０  移動端末装置
１２１，１２２  基地局
１３０  ネットワーク
１４０  保守センタ
２０１，２０２  アンテナ
２１０  アンテナスイッチ
２２０  ＲＦＩＣ
２３０  デジタル高周波物理処理回路
２４０  無線コア
２５０  Ｌ１ベースバンド部
２５１  ＲＦインタフェース
２５２  ＧＳＭハードウェア
２５３  ＬＴＥハードウェア
２５４  ＷＣＤＭＡハードウェア
２５５  無線制御ファームウェア群
２６０  ＡＰＢ
２７０  ＣＣＰＵ
２７１  ＡＸＩ
２７２  ＣＰＰ
２７３  ＵＰＰ
２７４  ＤＭＡＣ
２８０  ユーザコアＡＣＰＵ部
２９１  ＳＤＲＡＭ
２９２  ユーザインタフェース
３０１  ＲＲＣレイヤ
３０２  ＰＤＣＰレイヤ
３０３  ＲＬＣレイヤ
３０４  ＭＡＣレイヤ
３０５  無線ソフトウェア
３０６  無線ファームウェア
４００  セル管理テーブル
１４００  異常検出ログ
【国際調査報告】
2016194152.tif 000017
2016194152.tif 000018
2016194152.tif 000019
2016194152.tif 000020